(57)【要約】【課題】履歴検索に要する操作者の負担を軽減する。【解決手段】操作部５０１には、操作者による操作が与えられる。履歴制御部６０は、検索条件を指定する操作が操作部５０１に与えられると、複数の処理装置１０の動作にそれぞれ関する複数の履歴情報群の中から検索条件に合致する履歴情報を検出する。【選択図】図１
2018160099.tif 000002
【特許請求の範囲】
【請求項１】
少なくとも１つが貨幣処理機を構成する複数の処理装置と、
操作者による操作が与えられる操作部と、
検索条件を指定する操作が前記操作部に与えられると、前記複数の処理装置の動作にそれぞれ関する複数の履歴情報群の中から該検索条件に合致する履歴情報を検出する履歴制御部とを備えている
ことを特徴とする処理システム。
【請求項２】
請求項１において、
前記検索条件は、前記処理装置において動作が行われた時刻を特定するための時刻情報と、該処理装置を操作した操作者を特定するための操作者情報と、該処理装置において処理された貨幣の金額を特定するための金額情報と、該処理装置を特定するための装置情報のうち少なくとも１つに関する条件を含んでいる
ことを特徴とする処理システム。
【請求項３】
請求項１または２において、
前記複数の処理装置の動作にそれぞれ関する複数の履歴情報群の各々では、該処理装置において行われた動作を示した動作種別情報と、該動作が行われたときの動作条件を特定するための動作条件情報とが対応付けられており、
前記履歴制御部は、前記複数の処理装置のうち任意の処理装置に関する履歴情報群の中から任意の履歴情報を指定履歴情報として指定する履歴指定操作が前記操作部に与えられると、該複数の処理装置のうち該履歴指定操作の対象となる処理装置を除く他の処理装置に関する他の履歴情報群の中から該指定履歴情報に含まれる動作条件情報に対応する動作条件情報を含む他の履歴情報を関連履歴情報として検出する
ことを特徴とする処理システム。
【請求項４】
請求項３において、
前記動作条件情報は、該動作条件情報に対応付けられた前記動作種別情報に示された動作が行われた時刻を特定するための時刻情報を含んでいる
ことを特徴とする処理システム。
【請求項５】
請求項３または４において、
前記動作条件情報は、該動作条件情報に対応付けられた前記動作種別情報に示された動作が行われるように前記処理装置を操作した操作者を特定するための操作者情報を含んでいる
ことを特徴とする処理システム。
【請求項６】
請求項３〜５のいずれか１項において、
前記動作条件情報は、該動作条件情報に対応付けられた前記動作種別情報に示された動作により処理された貨幣の金額を特定するための金額情報を含んでいる
ことを特徴とする処理システム。
【請求項７】
請求項３において、
前記複数の処理装置のうち少なくとも１つは、該処理装置を操作する操作者を特定するための操作者情報を取得して該操作者を認証する認証処理を行うように構成され、
前記複数の処理装置のうち前記認証処理を行うように構成された処理装置に関する履歴情報群の履歴情報に含まれる動作条件情報は、該認証処理において取得された操作者情報を含んでいる
ことを特徴とする処理システム。
【請求項８】
請求項３において、
前記複数の処理装置は、鍵により解錠可能に構成されて貨幣を処理する貨幣処理機と、該貨幣処理機を解錠可能な鍵を管理する鍵管理機とを含み、
前記鍵管理機に関する履歴情報群は、前記鍵の取り出しに関する履歴情報である鍵使用履歴情報を含み、
前記鍵使用履歴情報に含まれる前記動作種別情報は、前記鍵管理機から前記鍵が取り出されたという動作を示し、該鍵使用履歴情報に含まれる前記動作条件情報は、該鍵管理機から該鍵が取り出された時刻を特定するための時刻情報と、該鍵管理機から取り出された該鍵を特定するための鍵情報と、該鍵管理機から該鍵を取り出した操作者を特定するための操作者情報とを含んでいる
ことを特徴とする処理システム。
【請求項９】
請求項８において、
前記履歴制御部は、前記複数の処理装置のうち前記鍵管理機に関する履歴情報群の中から任意の鍵使用履歴情報を前記指定履歴情報として指定するための履歴指定操作が前記操作部に与えられると、前記複数の処理装置のうち該鍵使用履歴情報に含まれる鍵情報に対応する貨幣処理機に関する履歴情報群の中から該鍵使用履歴情報に含まれる時刻情報に対応する時刻情報を含む履歴情報を前記関連履歴情報として検出する
ことを特徴とする処理システム。
【請求項１０】
請求項８または９において、
前記履歴制御部は、前記複数の処理装置のうち前記貨幣処理機に関する履歴情報群の中から任意の履歴情報を前記指定履歴情報として指定するための履歴指定操作が前記操作部に与えられると、前記複数の処理装置のうち前記鍵管理機に関する履歴情報群の中から該履歴指定操作の対象となる該貨幣処理機に対応する鍵情報と該履歴指定操作により指定された履歴情報に含まれる時刻情報に対応する時刻情報とを含む鍵使用履歴情報を前記関連履歴情報として検出する
ことを特徴とする処理システム。
【請求項１１】
請求項３〜１０のいずれか１項において、
前記複数の処理装置のうち少なくとも１つの近傍には、該処理装置を操作する操作者を撮像するように構成された撮像装置が設けられ、
前記履歴制御部は、前記撮像装置において行われた動作を示した動作種別情報と該動作が行われたときの動作条件を特定するための動作条件情報と該動作により取得された撮像画像を示した画像情報とが対応付けられた履歴情報群を取得し、該撮像装置に関する履歴情報群の中から前記関連履歴情報に含まれる動作条件情報に対応する動作条件を含む履歴情報を検出する
ことを特徴とする処理システム。
【請求項１２】
請求項３〜１１のいずれか１項において、
表示部を備え、
前記履歴制御部は、前記指定履歴情報と前記関連履歴情報とを前記表示部に並べて表示させる
ことを特徴とする処理システム。
【請求項１３】
請求項１〜１２のいずれか１項において、
前記複数の処理装置から情報を取得する管理装置を備え、
前記履歴制御部は、前記管理装置に含まれている
ことを特徴とする処理システム。
【請求項１４】
請求項１〜１２のいずれか１項において、
前記履歴制御部は、前記複数の処理装置のうち少なくとも１つの処理装置に含まれている
ことを特徴とする処理システム。
【請求項１５】
少なくとも１つが貨幣処理機を構成する複数の処理装置から情報を取得する管理装置であって、
操作者による操作が与えられる操作部と、
検索条件を指定する操作が前記操作部に与えられると、前記複数の処理装置の動作にそれぞれ関する複数の履歴情報群の中から該検索条件に合致する履歴情報を検出する履歴制御部とを備えている
ことを特徴とする管理装置。
【発明の詳細な説明】
【技術分野】
【０００１】
ここに開示する技術は、処理システムおよび管理装置に関する。
【背景技術】
【０００２】
従来、貨幣処理機を含む複数の処理装置を備えた処理システムが知られている。特許文献１には、出納機や両替機やＡＴＭなどの鍵使用機器と鍵管理機と上位機とで構成された鍵管理システムが開示されている。この鍵管理システムでは、鍵使用機器は、鍵の使用が必要となった場合に使用目的データを鍵管理機に送信するように構成されている。
【先行技術文献】
【特許文献】
【０００３】
【特許文献１】特開２００９−２６３９０８号公報
【発明の概要】
【発明が解決しようとする課題】
【０００４】
ところで、貨幣処理機を含む複数の処理装置を備えた従来の処理システムにおいて、複数の処理装置のうち任意の処理装置の操作履歴に対応する他の処理装置の操作履歴を検索する場合に、複数の処理装置の各々に操作履歴（処理装置に関する操作履歴）が印字されたジャーナル（紙）を発行させ、それらのジャーナルに印字された操作履歴を操作者が目視により確認することが考えられる。例えば、両替機において在高不足などの異常が発生した場合に、両替機の操作履歴が印字された両替機ジャーナルを操作者が目視で確認して異常の原因となる両替機の操作を特定し、その後、鍵管理機の操作履歴が印字された鍵管理機ジャーナルを操作者が目視で確認して異常の原因となる両替機の操作に対応する鍵管理機の操作（例えば、異常の原因となる両替機の操作が行われた時間帯に誰が両替機の鍵を取り出したのか）を探し出すことが考えられる。しかしながら、ジャーナルに膨大な量の操作履歴が印字されることになるので、履歴検索に要する操作者の負担を軽減することが困難である。
【０００５】
そこで、ここに開示する技術は、履歴検索に要する操作者の負担を軽減することが可能な技術を提供することを目的とする。
【課題を解決するための手段】
【０００６】
ここに開示する技術は、処理システムに関し、この処理システムは、少なくとも１つが貨幣処理機を構成する複数の処理装置と、操作者による操作が与えられる操作部と、検索条件を指定する操作が前記操作部に与えられると、前記複数の処理装置の動作にそれぞれ関する複数の履歴情報群の中から該検索条件に合致する履歴情報を検出する履歴制御部とを備えている。
【０００７】
前記の構成では、検索条件に基づいて所望の履歴情報を検出することができる。これにより、履歴検索に要する操作者の負担を軽減することができる。
【０００８】
前記検索条件は、前記処理装置において動作が行われた時刻を特定するための時刻情報と、該処理装置を操作した操作者を特定するための操作者情報と、該処理装置において処理された貨幣の金額を特定するための金額情報と、該処理装置を特定するための装置情報のうち少なくとも１つに関する条件を含んでいてもよい。
【０００９】
前記の構成では、時刻情報と操作者情報と金額情報と装置情報のうち少なくとも１つに基づいて所望の履歴情報を検出することができる。これにより、履歴検索に要する操作者の負担を軽減することができる。
【００１０】
前記複数の処理装置の動作にそれぞれ関する複数の履歴情報群の各々では、該処理装置において行われた動作を示した動作種別情報と、該動作が行われたときの動作条件を特定するための動作条件情報とが対応付けられていてもよい。そして、前記履歴制御部は、前記複数の処理装置のうち任意の処理装置に関する履歴情報群の中から任意の履歴情報を指定履歴情報として指定する履歴指定操作が前記操作部に与えられると、該複数の処理装置のうち該履歴指定操作の対象となる処理装置を除く他の処理装置に関する他の履歴情報群の中から該指定履歴情報に含まれる動作条件情報に対応する動作条件情報を含む他の履歴情報を関連履歴情報として検出するように構成されていてもよい。
【００１１】
前記の構成では、処理装置において動作が行われたときの動作条件に基づいて、操作者により指定された処理装置の履歴情報（指定履歴情報）に対応する他の処理装置の履歴情報（関連履歴情報）を検出することができる。これにより、履歴検索に要する操作者の負担を軽減することができる。
【００１２】
前記動作条件情報は、該動作条件情報に対応付けられた前記動作種別情報に示された動作が行われた時刻を特定するための時刻情報を含んでいてもよい。
【００１３】
前記の構成では、処理装置において動作が行われた時刻に基づいて、操作者により指定された処理装置の履歴情報（指定履歴情報）に対応する他の処理装置の履歴情報（関連履歴情報）を検出することができる。これにより、履歴検索に要する操作者の負担を軽減することができる。
【００１４】
前記動作条件情報は、該動作条件情報に対応付けられた前記動作種別情報に示された動作が行われるように前記処理装置を操作した操作者を特定するための操作者情報を含んでいてもよい。
【００１５】
前記の構成では、処理装置を操作した操作者に基づいて、操作者により指定された処理装置の履歴情報（指定履歴情報）に対応する他の処理装置の履歴情報（関連履歴情報）を検出することができる。これにより、履歴検索に要する操作者の負担を軽減することができる。
【００１６】
前記動作条件情報は、該動作条件情報に対応付けられた前記動作種別情報に示された動作により処理された貨幣の金額を特定するための金額情報を含んでいてもよい。
【００１７】
前記の構成では、処理装置の動作により処理された貨幣の金額に基づいて、操作者により指定された処理装置の履歴情報（指定履歴情報）に対応する他の処理装置の履歴情報（関連履歴情報）を検出することができる。これにより、履歴検索に要する操作者の負担を軽減することができる。
【００１８】
前記複数の処理装置のうち少なくとも１つは、該処理装置を操作する操作者を特定するための操作者情報を取得して該操作者を認証する認証処理を行うように構成されていてもよい。前記複数の処理装置のうち前記認証処理を行うように構成された処理装置に関する履歴情報群の履歴情報に含まれる動作条件情報は、該認証処理において取得された操作者情報を含んでいてもよい。
【００１９】
前記の構成では、認証処理を行うように構成された処理装置に関する履歴情報群の履歴情報に含まれる操作者情報に基づいて処理装置の操作者を特定することができる。
【００２０】
前記複数の処理装置は、鍵により解錠可能に構成されて貨幣を処理する貨幣処理機と、該貨幣処理機を解錠可能な鍵を管理する鍵管理機とを含んでいてもよい。前記鍵管理機に関する履歴情報群は、前記鍵の取り出しに関する履歴情報である鍵使用履歴情報を含んでいてもよい。前記鍵使用履歴情報に含まれる前記動作種別情報は、前記鍵管理機から前記鍵が取り出されたという動作を示していてもよい。該鍵使用履歴情報に含まれる前記動作条件情報は、該鍵管理機から該鍵が取り出された時刻を特定するための時刻情報と、該鍵管理機から取り出された該鍵を特定するための鍵情報と、該鍵管理機から該鍵を取り出した操作者を特定するための操作者情報とを含んでいてもよい。
【００２１】
前記の構成では、貨幣処理機の履歴情報に含まれる時刻情報と鍵管理機の鍵使用履歴情報に含まれる鍵情報および時刻情報とに基づいて、貨幣処理機の履歴情報および鍵管理機の鍵使用履歴情報のうち一方の履歴情報（指定履歴情報）から他方の履歴情報（関連履歴情報）を検出することができる。これにより、履歴検索に要する操作者の負担を軽減することができる。
【００２２】
前記履歴制御部は、前記複数の処理装置のうち前記鍵管理機に関する履歴情報群の中から任意の鍵使用履歴情報を前記指定履歴情報として指定するための履歴指定操作が前記操作部に与えられると、前記複数の処理装置のうち該鍵使用履歴情報に含まれる鍵情報に対応する前記貨幣処理機に関する履歴情報群の中から該鍵使用履歴情報に含まれる時刻情報に対応する時刻情報を含む履歴情報を前記関連履歴情報として検出するように構成されていてもよい。
【００２３】
前記の構成では、貨幣処理機の履歴情報に含まれる時刻情報と鍵管理機の鍵使用履歴情報に含まれる鍵情報および時刻情報とに基づいて、鍵管理機の鍵使用履歴情報（指定履歴情報）から貨幣処理機の履歴情報（関連履歴情報）を検出することができる。これにより、履歴検索に要する操作者の負担を軽減することができる。
【００２４】
前記履歴制御部は、前記複数の処理装置のうち前記貨幣処理機に関する履歴情報群の中から任意の履歴情報を前記指定履歴情報として指定するための履歴指定操作が前記操作部に与えられると、前記複数の処理装置のうち前記鍵管理機に関する履歴情報群の中から該履歴指定操作の対象となる該貨幣処理機に対応する鍵情報を含み且つ該履歴指定操作により指定された履歴情報に含まれる時刻情報に対応する時刻情報を含む鍵使用履歴情報を前記関連履歴情報として検出するように構成されていてもよい。
【００２５】
前記の構成では、貨幣処理機の履歴情報に含まれる時刻情報と鍵管理機の鍵使用履歴情報に含まれる鍵情報および時刻情報とに基づいて、貨幣処理機の履歴情報（指定履歴情報）から鍵管理機の鍵使用履歴情報（関連履歴情報）を検出することができる。これにより、履歴検索に要する操作者の負担を軽減することができる。
【００２６】
前記複数の処理装置のうち少なくとも１つの近傍には、該処理装置を操作する操作者を撮像するように構成された撮像装置が設けられていてもよい。前記履歴制御部は、前記撮像装置において行われた動作を示した動作種別情報と該動作が行われたときの動作条件を特定するための動作条件情報と該動作により取得された撮像画像を示した画像情報とが対応付けられた履歴情報群を取得し、該撮像装置に関する履歴情報群の中から前記関連履歴情報に含まれる動作条件情報に対応する動作条件を含む履歴情報を検出するように構成されていてもよい。
【００２７】
前記の構成では、処理装置において動作が行われたときの動作条件に基づいて、関連履歴情報（操作者により指定された処理装置の履歴情報に対応する他の処理装置の履歴情報）に対応する撮像装置の履歴情報を検出することができる。これにより、履歴検索に要する操作者の負担を軽減することができる。
【００２８】
前記処理システムは、表示部を備えていてもよい。前記履歴制御部は、前記指定履歴情報と前記関連履歴情報とを前記表示部に並べて表示させるように構成されていてもよい。
【００２９】
前記の構成では、指定履歴情報と関連履歴情報とを表示して比較させることができる。
【００３０】
前記処理システムは、前記複数の処理装置から情報を取得する管理装置を備えていてもよい。前記制御部は、前記管理装置に含まれていてもよい。
【００３１】
または、前記制御部は、前記複数の処理装置のうち少なくとも１つの処理装置に含まれていてもよい。
【００３２】
ここに開示する技術は、少なくとも１つが貨幣処理機を構成する複数の処理装置から情報を取得する管理装置に関し、この管理装置は、操作者による操作が与えられる操作部と、検索条件を指定する操作が前記操作部に与えられると、前記複数の処理装置の動作にそれぞれ関する複数の履歴情報群の中から該検索条件に合致する履歴情報を検出する履歴制御部とを備えている。
【００３３】
前記の構成では、処理装置において動作が行われたときの動作条件に基づいて、操作者により指定された処理装置の履歴情報（指定履歴情報）に対応する他の処理装置の履歴情報（関連履歴情報）を検出することができる。これにより、履歴検索に要する操作者の負担を軽減することができる。
【発明の効果】
【００３４】
以上のように、ここに開示する技術によれば、履歴探索に要する操作者の負担を軽減することができる。
【図面の簡単な説明】
【００３５】
【図１】実施形態による処理システムの構成を例示する概略図である。
【図２】両替機の構成を例示するブロック図である。
【図３】鍵管理機の構成を例示するブロック図である。
【図４】出納機の構成を例示するブロック図である。
【図５】管理コンピュータの構成を例示するブロック図である。
【図６】両替機に関する履歴情報群を例示する図である。
【図７】鍵管理機に関する履歴情報群を例示する図である。
【図８】出納機に関する履歴情報群を例示する図である。
【図９】監視カメラに関する履歴情報群を例示する図である。
【図１０】鍵管理情報を例示する図である。
【図１１】関連装置情報を例示する図である。
【図１２】鍵管理機に関するメニュー画面を例示する図である。
【図１３】鍵管理機履歴検索画面を例示する図である。
【図１４】鍵管理機履歴表示画面を例示する図である。
【図１５】両替機ジャーナル表示画面を例示する図である。
【図１６】両替機履歴表示画面を例示する図である。
【図１７】両替機履歴詳細画面を例示する図である。
【図１８】鍵管理機履歴表示画面を例示する図である。
【図１９】鍵管理機履歴表示画面の変形例を例示する図である。
【図２０】鍵管理機履歴検索画面を例示する図である。
【図２１】鍵管理機履歴表示画面を例示する図である。
【図２２】両替機ジャーナル表示画面を例示する図である。
【図２３】出納機履歴表示画面を例示する図である。
【図２４】出納機履歴詳細画面を例示する図である。
【図２５】ジャーナル表示画面を例示する図である。
【発明を実施するための形態】
【００３６】
以下、実施の形態を図面を参照して詳しく説明する。なお、図中同一または相当部分には同一の符号を付しその説明は繰り返さない。
【００３７】
（処理システム）
図１は、実施形態による処理システム１の構成を例示している。処理システム１は、複数の処理装置１０（この例では両替機２０と鍵管理機３０と出納機４０）と管理コンピュータ５０（管理装置）とを備えている。また、複数の処理装置１０のうち少なくとも１つの近傍には、監視カメラ（撮像装置）が設けられている。例えば、処理システム１は、銀行などの金融機関に設置されている。
【００３８】
なお、複数の処理装置１０のうち少なくとも１つ（この例では両替機２０と出納機４０）は、貨幣を処理する貨幣処理機を構成している。具体的には、この例では、複数の処理装置１０は、鍵３１により解錠可能に構成されて貨幣を処理する貨幣処理機（両替機２０および出納機４０）と、貨幣処理機を解錠可能な鍵３１を管理する鍵管理機（鍵管理機３０）とを含んでいる。また、鍵管理機３０，両替機２０，出納機４０の近傍には、監視カメラ５１ａ，５１ｂ，５１ｃが設けられている。
【００３９】
〔両替機〕
図１および図２は、両替機２０の構成を例示している。両替機２０は、貨幣を処理する貨幣処理機である。具体的には、両替機２０は、入金処理や出金処理や精査処理などの各種処理を行うように構成されている。図２に示すように、両替機２０は、硬貨入出金部２０１と、包装硬貨入出金部２０２と、紙幣入出金部２０３と、硬貨収納部２０４と、包装硬貨収納部２０５と、紙幣収納部２０６と、搬送部２０７と、識別部２０８と、操作表示部２１１（操作部/表示部）と、カード読取部２１２と、ジャーナル発行部２１３と、通信部２１４と、記憶部２１５と、両替機制御部２２０とを備えている。
【００４０】
また、両替機２０は、両替機２０に対応する鍵３１（以下「両替機鍵」と記載）により解錠可能に構成されている。そして、両替機２０を解錠することによって両替機２０の内部へのアクセスが許可され、両替機２０を施錠することによって両替機２０の内部へのアクセスが禁止される。具体的には、両替機２０は、その各部（例えば両替機２０の前面に設けられた開閉扉や両替機２０内に配置された収納部など）が両替機鍵により解錠可能に構成されている。なお、両替機２０の各部は、共通の両替機鍵によって解錠することができるように構成されていてもよいし、それぞれ異なる両替機鍵によって解錠することができるように構成されていてもよい。
【００４１】
〈硬貨入出金部〉
硬貨入出金部２０１は、硬貨が投入されたり硬貨を払い出したりするように構成されている。図１に示すように、硬貨入出金部２０１は、前方に開口する入出金口を有し、その入出金口を介して硬貨の投入および払出が行われるように構成されている。また、この例では、硬貨入出金部２０１の入出金口には、シャッタが設けられている。
【００４２】
〈包装硬貨入出金部〉
包装硬貨入出金部２０２は、包装硬貨が投入されたり包装硬貨を払い出したりするように構成されている。なお、包装硬貨は、所定枚数（例えば５０枚）の硬貨が包装されることで構成されている。図１に示すように、包装硬貨入出金部２０２は、上方に開口する入出金口を有し、その入出金口を介して包装硬貨の投入および払出が行われるように構成されている。また、この例では、包装硬貨入出金部２０２の入出金口には、シャッタが設けられている。
【００４３】
〈紙幣入出金部〉
紙幣入出金部２０３は、紙幣が投入されたり紙幣を払い出したりするように構成されている。図１に示すように、紙幣入出金部２０３は、上方に開口する入出金口を有し、その入出金口を介して紙幣の投入および払出が行われるように構成されている。また、この例では、紙幣入出金部の２０３の入出金口には、シャッタが設けられている。
【００４４】
〈各種収納部〉
硬貨収納部２０４は、硬貨を金種別に収納するように構成されている。包装硬貨収納部２０５は、包装硬貨を金種別に収納するように構成されている。紙幣収納部２０６は、紙幣を金種別に収納するように構成されている。
【００４５】
〈搬送部と識別部〉
搬送部２０７は、貨幣（具体的には硬貨と包装硬貨と紙幣）を搬送するように構成されている。識別部２０８は、貨幣に対して識別処理と計数処理とを行うように構成されている。識別処理では、識別部２０８は、貨幣の金種や真偽や正損などを識別する。計数処理では、識別部２０８は、貨幣の数量を種別毎に計数する。
【００４６】
〈操作表示部〉
操作表示部２１１は、操作者による操作が与えられ、その操作者による操作に応じて情報を入力するように構成されている。これにより、操作者は、操作表示部２１１を操作して両替機２０に各種処理を行わせることができる。すなわち、両替機２０は、操作表示部２１１に与えられた操作者による操作に応答して動作するように構成されている。また、操作表示部２１１は、両替機２０における貨幣の処理状況や貨幣の在高などの各種情報や操作者により操作することが可能な操作画面を表示するように構成されている。例えば、操作表示部２１１は、タッチパネルによって構成されている。
【００４７】
〈カード読取部とジャーナル発行部〉
カード読取部２１２は、カード（例えば操作者が所有するＩＤカード）から情報を読み取るように構成されている。ジャーナル発行部２１３は、両替機２０における貨幣の処理状況や貨幣の在高などの各種情報をジャーナル（紙）に印字して各種情報が印字されたジャーナルを発行するように構成されている。
【００４８】
〈通信部〉
通信部２１４は、両替機２０（具体的には両替機制御部２２０）が処理システム１の各部（具体的には鍵管理機３０と出納機４０と管理コンピュータ５０）や外部機器（例えば操作者により操作されるタブレット端末２やスマートフォン３など）との間で有線通信や無線通信を行うために設けられている。
【００４９】
〈記憶部〉
記憶部２１５は、両替機２０における貨幣の処理状況や貨幣の在高などの各種情報を記憶するように構成されている。例えば、記憶部２１５は、ハードディスクドライブやフラッシュメモリなどの汎用ストレージデバイスによって構成されている。
【００５０】
〈両替機制御部〉
両替機制御部２２０は、両替機２０の各部（この例では、硬貨入出金部２０１と包装硬貨入出金部２０２と紙幣入出金部２０３と硬貨収納部２０４と包装硬貨収納部２０５と紙幣収納部２０６と搬送部２０７と識別部２０８と操作表示部２１１とカード読取部２１２とジャーナル発行部２１３と通信部２１４と記憶部２１５）と信号を伝達可能に接続されている。そして、両替機制御部２２０は、通信部２１４を経由して、処理システム１の各部や、タブレット端末２やスマートフォン３などの外部機器と通信可能となっている。また、両替機２０の各部には、貨幣の通過を検知する通過センサや、施錠および解錠を検知する施錠センサや、開閉を検知する開閉センサなどの各種センサが設けられており、これらの各種センサの検出信号は、両替機制御部２２０に送信される。
【００５１】
そして、両替機制御部２２０は、両替機２０において各種処理（両替処理，精査処理など）が行われるように、操作表示部２１１に与えられた操作や、両替機２０の各部（各部に設けられた各種センサを含む），処理システム１の各部，タブレット端末２やスマートフォン３などの外部機器から受信した信号や情報に基づいて、両替機２０の各部を制御して両替機２０の動作を制御するように構成されている。例えば、両替機制御部２２０は、ＣＰＵなどの演算処理部や、演算処理部を動作させるためのプログラムや情報を記憶するメモリなどの記憶部などによって構成されている。
【００５２】
また、両替機制御部２２０は、両替機２０において行われた動作を示した情報（動作種別情報）と、その動作が行われたときの動作条件を特定するための情報（動作条件情報）とを取得するように構成されている。そして、両替機制御部２２０は、両替機２０の動作種別情報と動作条件情報とが対応付けられた履歴情報（両替機２０に関する履歴情報）を生成し、その両替機２０に関する履歴情報を記憶部２１５に記憶する。なお、両替機２０に関する履歴情報群（複数の履歴情報からなる履歴情報群）については、後で詳しく説明する。
【００５３】
〔鍵管理機〕
図１および図３は、鍵管理機３０の構成を例示している。鍵管理機３０は、処理装置１０（この例では両替機２０と出納機４０）を解錠可能な鍵３１を保管して管理するように構成されている。図１に示すように、鍵管理機３０は、筐体３００を備えている。また、図３に示すように、鍵管理機３０は、扉施錠部３０１と、１つまたは複数（この例では３０個）の鍵保管部３０２と、操作表示部３１１と、カード読取部３１２と、ジャーナル発行部３１３と、通信部３１４と、記憶部３１５と、鍵管理機制御部３２０とを備えている。
【００５４】
〈筐体〉
筐体３００は、直方体型の箱状に形成されている。また、筐体３００は、開閉扉を有している。この例では、開閉扉は、筐体３００の前面に設けられている。筐体３００の開閉扉が開状態（開かれた状態）となると、筐体３００の内部へのアクセスが可能となり、筐体３００が閉状態（閉じられた状態）となると、筐体３００の内部へのアクセスが禁止される。
【００５５】
〈扉施錠部〉
扉施錠部３０１は、筐体３００の開閉扉を施錠するように構成されている。すなわち、扉施錠部３０１は、閉状態である筐体３００の開閉扉を施錠する施錠状態と、閉状態である開閉扉の施錠を解除する解錠状態とを切り換え可能に構成されている。さらに、扉施錠部３０１は、筐体３００の開閉扉の開閉を検知するように構成されている。扉施錠部３０１による検知の結果（筐体３００の開閉扉の開閉）は、鍵管理機制御部３２０に送信される。
【００５６】
〈鍵保管部〉
鍵保管部３０２は、筐体３００の内部に収納され、鍵３１を保管するように構成されている。また、鍵保管部３０２は、鍵保管部３０２における鍵３１の有無（すなわち鍵３１の取り出しおよび返却）を検知するように構成されている。鍵保管部３０２による検知の結果（鍵３１の取り出しおよび返却）は、鍵管理機制御部３２０に送信される。この例では、鍵３１には、円柱状に形成されたホルダ３２が連結されている。また、鍵保管部３０２は、ホルダ３２が挿入される挿入穴３０２ａを有している。そして、鍵３１に連結されたホルダ３２が鍵保管部３０２の挿入穴３０２ａに挿入されて保持されることにより、鍵３１が鍵保管部３０２に保管される。各挿入穴３０２ａには、その挿入穴３０２ａに挿入されたホルダ３２の抜き取りを規制するロック機構（図示を省略）が設けられており、ホルダ３２の抜き取りが許可された場合にのみホルダ３２を抜き取ることができるように構成されている。また、各挿入穴３０２ａには、ホルダ３２の抜き差し（有無）を検出する有無検出機構（図示を省略）が設けられており、挿入穴３０２ａ毎にホルダ３２の有無が監視されている。
【００５７】
〈操作表示部〉
操作表示部３１１は、操作者による操作が与えられ、その操作者による操作に応じて情報を入力するように構成されている。これにより、操作者は、操作表示部３１１を操作して鍵管理機３０に各種処理を行わせることができる。すなわち、鍵管理機３０は、操作表示部３１１に与えられた操作者による操作に応答して動作するように構成されている。また、操作表示部３１１は、鍵管理機３０における鍵の使用状況などの各種情報や操作者により操作することが可能な操作画面を表示するように構成されている。例えば、操作表示部３１１は、タッチパネルによって構成されている。
【００５８】
〈カード読取部とジャーナル発行部〉
カード読取部３１２は、カード（例えば操作者が所有するＩＤカード）から情報を読み取るように構成されている。ジャーナル発行部３１３は、鍵管理機３０における鍵の使用状況などの各種情報をジャーナルに印字して各種情報が印字されたジャーナルを発行するように構成されている。
【００５９】
〈通信部〉
通信部３１４は、鍵管理機３０（具体的には鍵管理機制御部３２０）が処理システム１の各部（具体的には両替機２０と出納機４０と管理コンピュータ５０）や外部機器（例えば操作者により操作されるタブレット端末２やスマートフォン３など）との間で有線通信や無線通信を行うために設けられている。
【００６０】
〈記憶部〉
記憶部３１５は、鍵管理機３０における鍵の使用状況などの各種情報を記憶するように構成されている。例えば、記憶部４１５は、ハードディスクドライブやフラッシュメモリなどの汎用ストレージデバイスによって構成されている。この例では、記憶部３１５は、鍵管理情報を記憶している。なお、鍵管理情報については、後で詳しく説明する。
【００６１】
〈鍵管理機制御部〉
鍵管理機制御部３２０は、鍵管理機３０の各部（この例では扉施錠部３０１と鍵保管部３０２と操作表示部３１１とカード読取部３１２とジャーナル発行部３１３と通信部３１４と記憶部３１５）と信号を伝達可能に接続されている。そして、鍵管理機制御部３２０は、通信部３１４を経由して、処理システム１の各部や、タブレット端末２やスマートフォン３などの外部機器と通信可能となっている。
【００６２】
そして、鍵管理機制御部３２０は、鍵管理機３０において各種処理が行われるように、操作表示部３１１に与えられた操作や、鍵管理機３０の各部，処理システム１の各部，タブレット端末２やスマートフォン３などの外部機器から受信した信号や情報に基づいて、鍵管理機３０の各部を制御して鍵管理機３０の動作を制御するように構成されている。例えば、鍵管理機制御部３２０は、ＣＰＵなどの演算処理部や、演算処理部を動作させるためのプログラムや情報を記憶するメモリなどの記憶部などによって構成されている。
【００６３】
また、鍵管理機制御部３２０は、鍵管理機３０において行われた動作を示した情報（動作種別情報）と、その動作が行われたときの動作条件を特定するための情報（動作条件情報）とを取得するように構成されている。そして、鍵管理機制御部３２０は、鍵管理機３０の動作種別情報と動作条件情報とが対応付けられた履歴情報（鍵管理機３０に関する履歴情報）を生成し、その鍵管理機３０に関する履歴情報を記憶部３１５に記憶する。なお、鍵管理機３０に関する履歴情報群（複数の履歴情報からなる履歴情報群）については、後で詳しく説明する。
【００６４】
〔出納機〕
図１および図４は、出納機４０の構成を例示している。出納機４０は、貨幣を処理する貨幣処理機を構成している。具体的には、出納機４０は、入金処理や出金処理や精査処理などの各種処理を行うように構成されている。図４に示すように、出納機４０は、硬貨処理ユニット４０１と、包装硬貨処理ユニット４０２と、紙幣処理ユニット４０３と、束紙幣処理ユニット４０４と、有価媒体処理ユニット４０５と、操作表示部４１１（操作部/表示部）と、カード読取部４１２と、ジャーナル発行部４１３と、通信部４１４と、記憶部４１５と、出納機制御部４２０とを備えている。
【００６５】
また、出納機４０は、出納機４０に対応する鍵３１（以下「出納機鍵」と記載）により解錠可能に構成されている。そして、出納機４０を解錠することによって出納機４０の内部へのアクセスが許可され、出納機４０を施錠することによって出納機４０の内部へのアクセスが禁止される。具体的には、出納機４０は、その各部（例えば各種処理ユニットの前面に設けられた開閉扉や各種処理ユニット内に配置された収納部など）が出納機鍵により解錠可能に構成されている。なお、出納機４０の各部は、共通の出納機鍵によって解錠することができるように構成されていてもよいし、それぞれ異なる出納機鍵によって解錠することができるように構成されていてもよい。
【００６６】
〈硬貨処理ユニット〉
硬貨処理ユニット４０１は、硬貨を処理するように構成されている。具体的には、硬貨処理ユニット４０１は、硬貨の入金処理や出金処理や精査処理などの各種処理を行うように構成されている。例えば、硬貨処理ユニット４０１は、硬貨が投入される投入部と、硬貨を払い出す払出部と、硬貨を一時的に保留（収納）する一時保留部と、硬貨を金種別に収納する硬貨収納部と、硬貨を搬送する搬送部と、硬貨に対して識別処理と計数処理とを行う識別部と、これらを制御する制御部とを備えている。
【００６７】
〈包装硬貨処理ユニット〉
包装硬貨処理ユニット４０２は、包装硬貨を処理するように構成されている。具体的には、包装硬貨処理ユニット４０２は、包装硬貨の生成処理や入金処理や出金処理や精査処理などの各種処理を行うように構成されている。例えば、包装硬貨処理ユニット４０２は、包装硬貨が投入される投入部と、包装硬貨を払い出す払出部と、包装硬貨を生成する包装部と、包装硬貨を金種別に収納する包装硬貨収納部と、包装硬貨を搬送する搬送部と、包装硬貨に対して識別処理と計数処理とを行う識別部と、これらを制御する制御部とを備えている。
【００６８】
〈紙幣処理ユニット〉
紙幣処理ユニット４０３は、紙幣を処理するように構成されている。具体的には、紙幣処理ユニット４０３は、紙幣の入金処理や出金処理や精査処理などの各種処理を行うように構成されている。例えば、紙幣処理ユニット４０３は、紙幣が投入される投入部と、紙幣を払い出す払出部と、紙幣を一時的に保留（収納）する一時保留部と、紙幣を金種別に収納する紙幣収納部と、紙幣を搬送する搬送部と、紙幣に対して識別処理と計数処理とを行う識別部と、これらを制御する制御部とを備えている。
【００６９】
〈束紙幣処理ユニット〉
束紙幣処理ユニット４０４は、束紙幣を処理するように構成されている。具体的には、束紙幣処理ユニット４０４は、束紙幣の生成処理や入金処理や出金処理や精査処理などの各種処理を行うように構成されている。例えば、束紙幣処理ユニット４０４は、束紙幣が投入される投入部と、束紙幣を払い出す払出部と、束紙幣を生成する結束部と、束紙幣を金種別に収納する束紙幣収納部と、束紙幣を搬送する搬送部と、束紙幣に対して識別処理と計数処理とを行う識別部と、これらを制御する制御部とを備えている。なお、束紙幣は、所定枚数（例えば１００枚）の紙幣が帯封されて構成されている。
【００７０】
〈有価媒体処理ユニット〉
有価媒体処理ユニット４０５は、有価媒体を処理するように構成されている。具体的には、有価媒体処理ユニット４０５は、投入された有価媒体を収納するように構成されている。なお、有価媒体処理ユニット４０５に投入される有価媒体は、損券や旧券や小切手や手形など紙幣処理ユニット４０３において処理することができない紙葉類である。
【００７１】
〈操作表示部〉
操作表示部４１１は、操作者による操作が与えられ、その操作者による操作に応じて情報を入力するように構成されている。これにより、操作者は、操作表示部４１１を操作して出納機４０に各種処理を行わせることができる。すなわち、出納機４０は、操作表示部４１１に与えられた操作者による操作に応答して動作するように構成されている。また、操作表示部４１１は、出納機４０における貨幣の処理状況や貨幣の在高などの各種情報や操作者により操作することが可能な操作画面を表示するように構成されている。例えば、操作表示部４１１は、タッチパネルによって構成されている。
【００７２】
〈カード読取部とジャーナル発行部〉
カード読取部４１２は、カード（例えば操作者が所有するＩＤカード）から情報を読み取るように構成されている。ジャーナル発行部４１３は、出納機４０における貨幣の処理状況や貨幣の在高などの各種情報をジャーナルに印字して各種情報が印字されたジャーナルを発行するように構成されている。
【００７３】
〈通信部〉
通信部４１４は、出納機４０（具体的には出納機制御部４２０）が処理システム１の各部（具体的には両替機２０と鍵管理機３０と管理コンピュータ５０）や外部機器（例えば操作者により操作されるタブレット端末２やスマートフォン３など）との間で有線通信や無線通信を行うために設けられている。
【００７４】
〈記憶部〉
記憶部４１５は、出納機４０における貨幣の処理状況や貨幣の在高などの各種情報を記憶するように構成されている。例えば、記憶部４１５は、ハードディスクドライブやフラッシュメモリなどの汎用ストレージデバイスによって構成されている。
【００７５】
〈出納機制御部〉
出納機制御部４２０は、出納機４０の各部（この例では、硬貨処理ユニット４０１と包装硬貨処理ユニット４０２と紙幣処理ユニット４０３と束紙幣処理ユニット４０４と有価媒体処理ユニット４０５と操作表示部４１１とカード読取部４１２とジャーナル発行部４１３と通信部４１４と記憶部４１５）と信号を伝達可能に接続されている。そして、出納機制御部４２０は、通信部４１４を経由して、処理システム１の各部や、タブレット端末２やスマートフォン３などの外部機器と通信可能となっている。また、出納機４０の各部には、貨幣の通過を検知する通過センサや、施錠および解錠を検知する施錠センサや、開閉を検知する開閉センサなどの各種センサが設けられており、これらの各種センサの検出信号は、出納機制御部４２０に送信される。
【００７６】
そして、出納機制御部４２０は、出納機４０において各種処理が行われるように、操作表示部４１１に与えられた操作や、出納機４０の各部（各部に設けられた各種センサを含む），処理システム１の各部，タブレット端末２やスマートフォン３などの外部機器から受信した信号や情報に基づいて、出納機４０の各部を制御して出納機４０の動作を制御するように構成されている。例えば、出納機制御部４２０は、ＣＰＵなどの演算処理部や、演算処理部を動作させるためのプログラムや情報を記憶するメモリなどの記憶部などによって構成されている。
【００７７】
また、出納機制御部４２０は、出納機４０において行われた動作を示した情報（動作種別情報）と、その動作が行われたときの動作条件を特定するための情報（動作条件情報）とを取得するように構成されている。そして、出納機制御部４２０は、出納機４０の動作種別情報と動作条件情報とが対応付けられた履歴情報（出納機４０に関する履歴情報）を生成し、その出納機４０に関する履歴情報を記憶部４１５に記憶する。なお、出納機４０に関する履歴情報群（複数の履歴情報からなる履歴情報群）については、後で詳しく説明する。
【００７８】
〔監視カメラ〕
監視カメラ５１ａ，５１ｂ，５１ｃは、監視カメラ５１の近傍に設けられた処理装置１０を操作する操作者を撮像するように構成されている。例えば、鍵管理機３０の近傍に設けられた監視カメラ５１ａは、鍵管理機３０において特定の処理（例えばログインや筐体３００の開閉扉の開放）が行われると、鍵管理機３０を操作する操作者を撮像するように構成されている。そして、監視カメラ５１ａ，５１ｂ，５１ｃは、操作者の撮像により得られた撮像画像を記憶するように構成されている。以下では、監視カメラ５１ａ，５１ｂ，５１ｃの総称を「監視カメラ５１」と記載する。
【００７９】
また、監視カメラ５１は、処理システム１の各部（具体的には両替機２０と鍵管理機３０と出納機４０と管理コンピュータ５０）や外部機器（例えば操作者により操作されるタブレット端末２やスマートフォン３など）と通信可能に構成されている。例えば、監視カメラ５１は、操作者を撮像する撮像部と、撮像部により得られた撮像画像などの各種情報を記憶する記憶部と、監視カメラ５１が処理システム１の各部やタブレット端末２やスマートフォン３などの外部機器との間で有線通信や無線通信を行うための通信部と、これらを制御する制御部とを備えている。
【００８０】
また、監視カメラ５１は、監視カメラ５１において行われた動作を示した情報（動作種別情報）と、その動作が行われたときの動作条件を特定するための情報（動作条件情報）とを取得するように構成されている。そして、監視カメラ５１は、監視カメラ５１の動作種別情報と動作条件情報とが対応付けられた履歴情報（監視カメラ５１に関する履歴情報）を生成し、その監視カメラ５１に関する履歴情報を記憶するように構成されている。なお、監視カメラ５１に関する履歴情報群（複数の履歴情報からなる履歴情報群）については、後で詳しく説明する。
【００８１】
〔管理コンピュータ〕
管理コンピュータ５０は、複数の処理装置１０（この例では両替機２０と鍵管理機３０と出納機４０）と通信可能に接続され、複数の処理装置１０から情報を取得するように構成されている。また、管理コンピュータ５０は、監視カメラ５１と通信可能に接続されて監視カメラ５１から情報を取得するように構成されている。この例では、管理コンピュータ５０は、操作部５０１と、表示部５０２と、通信部５０３と、記憶部５０４と、制御部５０５とを備えている。
【００８２】
〈操作部〉
操作部５０１は、操作者による操作が与えられ、その操作者による操作に応じて情報を入力するように構成されている。これにより、操作者は、操作部５０１を操作して管理コンピュータ５０に各種処理を行わせることができる。すなわち、管理コンピュータ５０は、操作部５０１に与えられた操作者による操作に応答して動作するように構成されている。例えば、操作部５０１は、キーボードやマウスなどによって構成されている。
【００８３】
〈表示部〉
表示部５０２は、処理システム１の各部（具体的には両替機２０と鍵管理機３０と出納機４０）における処理状況や貨幣の在高などの各種情報や操作部５０１を用いて操作することが可能な操作画面を表示するように構成されている。例えば、表示部５０２は、液晶パネルなどによって構成されている。
【００８４】
〈通信部〉
通信部５０３は、管理コンピュータ５０（具体的には制御部５０５）が処理システム１の各部や外部機器（例えば操作者により操作されるタブレット端末２やスマートフォン３など）との間で有線通信や無線通信を行うために設けられている。
【００８５】
〈記憶部〉
記憶部５０４は、処理システム１の各部における処理状況や貨幣の在高などの各種情報を記憶するように構成されている。例えば、記憶部５０４は、ハードディスクドライブやフラッシュメモリなどの汎用ストレージデバイスによって構成されている。この例では、記憶部５０４は、複数の処理装置１０（具体的には両替機２０と鍵管理機３０と出納機４０と監視カメラ５１）の各々に関する履歴情報群と、関連装置情報とを記憶している。なお、関連装置情報については、後で詳しく説明する。
【００８６】
〈制御部〉
制御部５０５は、管理コンピュータ５０の各部（この例では操作部５０１と表示部５０２と通信部５０３と記憶部５０４）と信号を伝達可能に接続されている。そして、制御部５０５は、通信部５０３を経由して、処理システム１の各部や、タブレット端末２やスマートフォン３などの外部機器と通信可能となっている。
【００８７】
そして、制御部５０５は、管理コンピュータ５０において各種処理が行われるように、操作部５０１に与えられた操作や、処理システム１の各部，タブレット端末２やスマートフォン３などの外部機器から受信した信号や情報に基づいて、管理コンピュータ５０の各部を制御して管理コンピュータ５０の動作を制御するように構成されている。例えば、制御部５０５は、ＣＰＵなどの演算処理部や、演算処理部を動作させるためのプログラムや情報を記憶するメモリなどの記憶部などによって構成されている。
【００８８】
〔両替機の履歴情報群〕
次に、図６を参照して、両替機２０に関する履歴情報群について説明する。両替機２０に関する履歴情報群は、複数の履歴情報（両替機２０に関する履歴情報）により構成されている。なお、図６において、「No.」は、両替機２０の履歴情報の番号を示している。
【００８９】
両替機２０に関する履歴情報では、両替機２０の動作種別情報と動作条件情報とが対応付けられている。両替機２０の履歴情報に含まれる動作種別情報は、両替機２０において行われた動作を示している。両替機２０の履歴情報に含まれる動作条件情報は、その動作条件情報に対応付けられた動作種別情報に示された両替機２０の動作が行われたときの動作条件を特定するための情報である。この例では、両替機２０の動作条件情報は、その動作条件情報に対応付けられた動作種別情報に示された両替機２０の動作が行われたときの時刻を特定するための時刻情報と、その動作条件情報に対応付けられた動作種別情報に示された両替機２０の動作により処理された貨幣の金額を特定するための金額情報とを含んでいる。
【００９０】
例えば、両替機２０の第６番目の履歴情報では、動作種別情報は「包装硬貨自動精査」を示し、時刻情報は「２０１６年７月３日１５:０５」を示し、金額情報は「在高情報」を示している。すなわち、両替機２０の第６番目の履歴情報は、両替機２０において「包装硬貨自動精査」が「２０１６年７月３日１５:０５」に行われ、その「包装硬貨自動精査」により「在高情報」の貨幣が計数処理されたことを示している。
【００９１】
なお、図６の例において、両替機２０の第２番目の履歴情報と第１０１番目の履歴情報は、鍵３１による両替機２０の解錠に関する履歴情報（解錠履歴情報）である。解錠履歴情報に含まれる動作種別情報は、鍵３１により両替機２０が解錠されたという動作を示している。解錠履歴情報に含まれる動作条件情報は、鍵３１により両替機２０が解錠された時刻を特定するための時刻情報を含んでいる。
【００９２】
また、図６の例において、両替機２０の第５番目の履歴情報と第１０３番目の履歴情報は、両替機２０の施錠に関する履歴情報（施錠履歴情報）である。施錠履歴情報に含まれる動作種別情報は、両替機２０が施錠されたという動作を示している。施錠履歴情報に含まれる動作条件情報は、両替機２０が施錠された時刻を特定するための時刻情報を含んでいる。
【００９３】
〔鍵管理機の履歴情報群〕
次に、図７を参照して、鍵管理機３０に関する履歴情報群について説明する。鍵管理機３０に関する履歴情報群は、複数の履歴情報（鍵管理機３０に関する履歴情報）により構成されている。なお、図７において、「No.」は、鍵管理機３０の履歴情報の番号を示している。また、「ログイン」は、鍵管理機３０において操作者がログインしたという動作を示し、「ログオフ」は、鍵管理機３０において操作者がログオフしたという動作を示している。「扉開放」は、鍵管理機３０において筐体３００の開閉扉が開かれたという動作を示し、「扉閉鎖」は、鍵管理機３０において筐体３００の開閉扉が閉じられたという動作を示している。「鍵抜取」は、鍵管理機３０から鍵３１が取り出されたという動作を示し、「鍵戻入」は、鍵管理機３０に鍵３１が返却されたという動作を示している。
【００９４】
鍵管理機３０に関する履歴情報では、鍵管理機３０の動作種別情報と動作条件情報とが対応付けられている。鍵管理機３０の履歴情報に含まれる動作種別情報は、鍵管理機３０において行われた動作を示している。鍵管理機３０の履歴情報に含まれる動作条件情報は、その動作条件情報に対応付けられた動作種別情報に示された鍵管理機３０の動作が行われたときの動作条件を特定するための情報である。この例では、鍵管理機３０の動作条件情報は、その動作条件情報に対応付けられた動作種別情報に示された鍵管理機３０の動作が行われたときの時刻を特定するための時刻情報と、その動作条件情報に対応付けられた動作種別情報に示された動作により操作された鍵を特定するための鍵情報と、その動作条件情報に対応付けられた動作種別情報に示された動作が行われるように鍵管理機３０を操作した操作者を特定するための操作者情報とを含んでいる。なお、この例では、鍵情報の「１」は、両替機２０を解錠可能な鍵３１である両替機鍵を示し、鍵情報の「２」は、出納機４０を解錠可能な鍵３１である出納機鍵を示している。例えば、両替機鍵には、「１」を示した鍵番号が割り当てられ、出納機鍵には、「２」を示した鍵番号が割り当てられている。
【００９５】
例えば、鍵管理機３０の第３番目の履歴情報では、動作種別情報は「鍵管理機３０から鍵３１が取り出されるという動作」を示し、時刻情報は「２０１６年７月３日１５:０２」を示し、鍵情報は「両替機鍵」を示し、操作者情報は「００１（山田太郎）」を示している。すなわち、鍵管理機３０の第３番目の履歴情報は、鍵管理機３０から「両替機鍵」が「２０１６年７月３日１５:０２」に「００１（山田太郎）」によって「取り出された」ことを示している。
【００９６】
なお、図７の例において、鍵管理機３０の第３番目の履歴情報と第４番目の履歴情報と第１０３番目の履歴情報は、鍵３１の取り出しに関する履歴情報（鍵使用履歴情報）である。鍵使用履歴情報に含まれる動作種別情報は、鍵管理機３０から鍵３１が取り出されたという動作を示している。鍵使用履歴情報に含まれる動作条件情報は、鍵管理機３０から鍵３１が取り出された時刻を特定するための時刻情報と、鍵管理機３０から取り出された鍵３１を特定するための鍵情報と、鍵管理機３０から鍵３１を取り出した操作者を特定するための操作者情報とを含んでいる。
【００９７】
また、図７の例において、鍵管理機３０の第９番目の履歴情報と第１０番目の履歴情報と第１０８番目の履歴情報は、鍵３１の返却に関する履歴情報（鍵返却履歴情報）である。鍵返却履歴情報に含まれる動作種別情報は、鍵管理機３０に鍵３１が返却されたという動作を示している。鍵返却履歴情報に含まれる動作条件情報は、鍵管理機３０に鍵３１が返却された時刻を特定するための時刻情報と、鍵管理機３０に返却された鍵３１を特定するための鍵情報と、鍵管理機３０に鍵３１を返却した操作者を特定するための操作者情報とを含んでいる。
【００９８】
〔出納機の履歴情報群〕
次に、図８を参照して、出納機４０に関する履歴情報群について説明する。出納機４０に関する履歴情報群は、複数の履歴情報（出納機４０に関する履歴情報）により構成されている。なお、図８において、「No.」は、出納機４０の履歴情報の番号を示している。
【００９９】
出納機４０に関する履歴情報では、出納機４０の動作種別情報と動作条件情報とが対応付けられている。出納機４０の履歴情報に含まれる動作種別情報は、出納機４０において行われた動作を示している。出納機４０の履歴情報に含まれる動作条件情報は、その動作条件情報に対応付けられた動作種別情報に示された出納機４０の動作が行われたときの動作条件を特定するための情報である。この例では、出納機４０の動作条件情報は、その動作条件情報に対応付けられた動作種別情報に示された出納機４０の動作が行われたときの時刻を特定するための時刻情報と、その動作条件情報に対応付けられた動作種別情報に示された動作が行われるように出納機４０を操作した操作者を特定するための操作者情報と、その動作条件情報に対応付けられた動作種別情報に示された動作により処理された貨幣の金額を特定するための金額情報とを含んでいる。
【０１００】
例えば、出納機４０の第１０１番目の履歴情報では、動作種別情報は「出金」を示し、時刻情報は「２０１６年９月９日１５:０５」を示し、操作者情報は「００１（山田太郎）」を示し、金額情報は「出金明細」を示している。すなわち、出納機４０の第１０１番目の履歴情報は、出納機４０において「００１（山田太郎）」の操作により「出金」が「２０１６年９月９日１５:０５」に行われ、その「出金」により「出金明細」の貨幣が処理されたことを示している。
【０１０１】
〔監視カメラの履歴情報群〕
次に、図９を参照して、監視カメラ５１に関する履歴情報群について説明する。監視カメラ５１に関する履歴情報群は、複数の履歴情報（監視カメラ５１に関する履歴情報）により構成されている。なお、図９は、鍵管理機３０の近傍に設けられた監視カメラ５１ａに関する履歴情報群を例示している。また、図９において、「No.」は、監視カメラ５１ａの履歴情報の番号を示している。また、「撮像（ログイン）」は、鍵管理機３０における操作者のログインに応答して行われる撮像を示し、「撮像（扉開放）」は、鍵管理機３０における筐体３００の開閉扉の開放に応答して行われる撮像を示している。
【０１０２】
監視カメラ５１に関する履歴情報では、監視カメラ５１の動作種別情報と動作条件情報と画像情報とが対応付けられている。監視カメラ５１の履歴情報に含まれる動作種別情報は、監視カメラ５１において行われた動作を示している。監視カメラ５１の履歴情報に含まれる動作条件情報は、その動作条件情報に対応付けられた動作種別情報に示された監視カメラ５１の動作が行われたときの動作条件を特定するための情報である。この例では、監視カメラ５１の動作条件情報は、その動作条件情報に対応付けられた動作種別情報に示された監視カメラ５１の動作が行われたときの時刻を特定するための時刻情報を含んでいる。監視カメラ５１の履歴情報に含まれる画像情報は、その画像情報に対応付けられた動作種別情報に示された監視カメラ５１の動作（撮像）により得られた画像を示している。
【０１０３】
例えば、監視カメラ５１ａの第１番目の履歴情報では、動作種別情報は「鍵管理機３０における操作者のログインに応答して行われる撮像」を示し、時刻情報は「２０１６年７月３日１５:０２」を示し、画像情報は「画像No.1」を示している。すなわち、監視カメラ５１ａの第１番目の履歴情報は、監視カメラ５１ａにおいて「鍵管理機３０における操作者のログインに応答して行われる撮像」が「２０１６年７月３日１５:０２」に行われ、その撮像により「画像No.1」が取得されたことを示している。なお、監視カメラ５１ｂ，５１ｃについても、監視カメラ５１ａと同様の履歴情報群が生成される。
【０１０４】
〔鍵管理情報〕
次に、図１０を参照して、鍵管理機３０の記憶部３１５に記憶された鍵管理情報について説明する。鍵管理情報は、後述する鍵管理機３０における認証処理に利用される情報である。鍵管理情報では、鍵を特定するための鍵情報と、その鍵により解錠可能な処理装置１０を特定するための装置情報と、その鍵の使用を許可された操作者を特定するための許可操作者情報とが対応付けられている。この例では、鍵情報は、鍵に割り当てられた番号（鍵番号）を示し、装置情報は、その鍵により解錠可能な処理装置１０の名称（装置名）を示し、許可操作者情報は、その鍵の使用を許可された操作者に割り当てられた操作者ＩＤ（操作許可者ＩＤ）を示している。
【０１０５】
〔関連装置情報〕
次に、図１１を参照して、管理コンピュータ５０の記憶部５０４に記憶された関連装置情報について説明する。関連装置情報は、後述する関連履歴検索処理において利用される情報である。関連装置情報では、複数の処理装置１０（この例では両替機２０と鍵管理機３０と出納機４０）の各々の履歴情報の種別（具体的には動作種別情報の種別）を示した履歴種別情報と、その履歴種別情報に示された種別の履歴情報に関連する履歴情報（関連履歴情報）を検出すべき履歴情報群に対応する処理装置１０を特定するための対象装置情報とが対応付けられている。すなわち、関連装置情報は、後述する関連履歴検索処理において、どの処理装置１０に関する履歴情報群の中からどの履歴情報が指定履歴情報として指定された場合に、どの処理装置１０に関する履歴情報群の中からどの履歴情報を関連履歴情報として検出すべきであるのかを示している。
【０１０６】
なお、「主体装置」は、指定履歴情報が指定された履歴情報群に対応する処理装置１０を示し、「関連装置」は、関連履歴情報を検出すべき履歴情報群に対応する処理装置１０を示している。「装置名」は、指定履歴情報が指定された履歴情報群に対応する処理装置１０の名称を示し、「動作履歴」は、指定履歴情報として指定された履歴情報の動作種別情報を示している。また、「鍵抜取（鍵番号１）」は、鍵番号１が割り当てられた鍵（この例では両替機鍵）が鍵管理機３０から取り出されたという動作を示し、「鍵戻入（鍵番号１）」は、鍵番号１が割り当てられた鍵（この例では両替機鍵）が鍵管理機３０に返却されたという動作を示し、「鍵抜取（鍵番号２）」は、鍵番号２が割り当てられた鍵（この例では出納機鍵）が鍵管理機３０から取り出されたという動作を示し、「鍵戻入（鍵番号２）」は、鍵番号２が割り当てられた鍵（この例では出納機鍵）が鍵管理機３０に返却されたという動作を示している。
【０１０７】
例えば、鍵管理機３０に関する履歴情報群の中から「鍵番号１の両替機鍵が取り外された」という動作を示した動作種別情報を含む履歴情報が指定履歴情報として指定された場合、関連履歴情報を検出すべき履歴情報群に対応する処理装置１０は「両替機２０」となる。すなわち、この場合、両替機２０に関する履歴情報群の中から関連履歴情報が検出されることになる。
【０１０８】
〔認証処理〕
なお、この例では、複数の処理装置１０のうち少なくとも１つは、認証処理を行うように構成されている。認証処理では、処理装置１０は、その処理装置１０を操作する操作者を特定するための操作者情報を取得して操作者を認証する。そして、複数の処理装置１０のうち認証処理を行うように構成された処理装置１０に関する履歴情報群の履歴情報に含まれる動作条件情報は、認証処理において取得された操作者情報を含んでいる。
【０１０９】
具体的には、この例では、鍵管理機３０（具体的には鍵管理機制御部３２０）は、操作者により操作表示部３１１が操作されて入力された操作者ＩＤ（操作者情報の一例）を取得する。または、鍵管理機３０は、カード読取部３１２により操作者が所有するＩＤカードから読み取られた操作者ＩＤを取得する。なお、鍵管理機３０は、認証が必要となる特定の処理（例えば筐体３００の開閉扉の開放など）を行うことが許可された操作者に割り当てられた操作者ＩＤを予め記憶している。そして、鍵管理機３０は、操作表示部３１１（またはカード読取部３１２）において取得された操作者ＩＤと予め記憶している操作者ＩＤ（具体的には鍵管理情報に登録されている許可操作者ＩＤ）とを照合し、これらの操作者ＩＤが互いに一致する場合に操作者のログインを許可して特定の処理（例えば扉の開放や鍵の抜き取りなど）を行うことを許可し、そうでない場合に操作者のログインを禁止して特定の処理を行うことを禁止する。
【０１１０】
また、この例では、鍵管理機３０におけるログインおよびログアウトは、次のようにして行われる。まず、鍵管理機３０において操作者のログインが許可されると、鍵管理機３０の扉施錠部３０１が施錠状態から解錠状態となり鍵管理機３０の筐体３００の開閉扉の施錠が解除される。筐体３００の開閉扉の施錠が解除されてから開閉扉が開放されて閉鎖されるまでの期間において行われる動作（具体的には、開閉扉の開放と鍵の取り出し/返却と開閉扉の閉鎖）は、鍵管理機３０にログインしている操作者により行われた動作として履歴情報が生成される。すなわち、筐体３００の開閉扉の施錠が解除されてから開閉扉が開放されて閉鎖されるまでの期間において行われる動作に関する履歴情報（例えば図７に示された鍵管理機３０の第２番目から第５番目までの履歴情報）には、鍵管理機３０にログインしている操作者（例えば図７では山田太郎（操作者ＩＤ：００１））を示した操作者情報が含まれる。そして、筐体３００の開閉扉が閉鎖されると、扉施錠部３０１が解錠状態から施錠状態となり開閉扉が自動的に施錠されるとともに、鍵管理機３０において操作者のログオフが自動的に行われる。
【０１１１】
また、この例では、出納機４０（具体的には出納機制御部４２０）は、操作者により操作表示部４１１が操作されて入力された操作者ＩＤ（操作者情報の一例）を取得する。または、出納機４０は、カード読取部４１２により操作者が所有するＩＤカードから読み取られた操作者ＩＤを取得する。なお、出納機４０は、認証が必要となる特定の処理（例えば出金など）を行うことが許可された操作者に割り当てられた操作者ＩＤを予め記憶している。そして、出納機４０は、操作表示部４１１（またはカード読取部４１２）において取得された操作者ＩＤと予め記憶している操作者ＩＤとを照合し、これらの操作者ＩＤが互いに一致する場合に特定の処理を行うことを許可し、そうでない場合に特定の処理を行うことを禁止する。
【０１１２】
〔履歴制御部〕
また、図１および図５に示すように、管理コンピュータ５０（具体的には制御部５０５）には、履歴制御部６０が含まれている。履歴制御部６０は、複数の処理装置１０の各々について履歴情報群を取得するように構成されている。この例では、履歴制御部６０は、複数の処理装置１０の各々から履歴情報群を取得して管理コンピュータ５０の記憶部５０４に記憶する。例えば、履歴制御部６０は、複数の処理装置１０の各々において履歴情報群が更新される毎に、その処理装置１０から履歴情報群を取得して記憶部５０４に記憶する。または、履歴制御部６０は、予め定められた更新スケジュールに基づいて、複数の処理装置１０の各々から履歴情報群を定期的に取得して記憶部５０４に記憶する。
【０１１３】
そして、履歴制御部６０は、検索条件を指定する操作が操作部５０１に与えられると、複数の処理装置１０の動作にそれぞれ関する複数の履歴情報群の中から検索条件に合致する履歴情報を検出する。なお、検索条件には、処理装置１０において動作が行われた時刻を特定するための時刻情報と、処理装置１０を操作した操作者を特定するための操作者情報と、処理装置１０において処理された貨幣の金額を特定するための金額情報と、処理装置１０を特定するための装置情報のうち少なくとも１つに関する条件が含まれている。
【０１１４】
この例では、履歴制御部６０は、複数の処理装置１０のうち任意の処理装置１０に関する履歴情報群の中から任意の履歴情報を指定履歴情報として指定する履歴指定操作（操作者による操作）が操作部５０１に与えられると、関連履歴検索処理を行うように構成されている。関連履歴検索処理では、履歴制御部６０は、複数の処理装置１０のうち履歴指定操作の対象となる処理装置１０を除く他の処理装置に関する他の履歴情報群の中から指定履歴情報に含まれる動作条件情報に対応する動作条件情報を含む他の履歴情報を関連履歴情報として検出する。なお、この例では、履歴制御部６０は、管理コンピュータ５０の記憶部５０４に記憶された関連装置情報を用いて関連履歴検索処理を行う。
【０１１５】
例えば、履歴制御部６０は、複数の処理装置１０のうち鍵管理機３０に関する履歴情報群の中から任意の鍵使用履歴情報を指定履歴情報として指定するための履歴指定操作が操作部５０１に与えられると、指定履歴情報である鍵管理機３０の鍵使用履歴情報に基づいて関連履歴検索処理を行う。この関連履歴検索処理では、履歴制御部６０は、複数の処理装置１０のうち鍵使用履歴情報に含まれる鍵情報に対応する両替機２０（貨幣処理機）に関する履歴情報群の中から鍵使用履歴情報に含まれる時刻情報に対応する時刻情報を含む履歴情報を関連履歴情報として検出する。また、履歴制御部６０は、複数の処理装置１０のうち両替機２０（貨幣処理機）に関する履歴情報群の中から任意の履歴情報を指定履歴情報として指定するための履歴指定操作が操作部５０１に与えられると、指定履歴情報である両替機２０の履歴情報に基づいて関連履歴検索処理を行う。この関連履歴検索処理では、履歴制御部６０は、複数の処理装置１０のうち鍵管理機３０に関する履歴情報群の中から履歴指定操作の対象となる両替機２０（貨幣処理機）に対応する鍵情報と履歴指定操作により指定された履歴情報に含まれる時刻情報に対応する時刻情報とを含む履歴情報（鍵使用履歴情報）を関連履歴情報として検出する。
【０１１６】
また、履歴制御部６０は、関連画像検索処理を行うように構成されている。関連画像検索処理では、履歴制御部６０は、監視カメラ５１に関する履歴情報群の中から関連履歴情報（操作者により指定された処理装置１０の履歴情報に対応する他の処理装置１０の履歴情報）に含まれる動作条件情報に対応する動作条件を含む履歴情報を検出する。
【０１１７】
また、履歴制御部６０は、指定履歴情報（履歴指定操作により指定された履歴情報）と関連履歴情報（操作者により指定された処理装置１０の履歴情報に対応する他の処理装置１０の履歴情報）とを表示部５０２に並べて表示させるように構成されている。
【０１１８】
〔履歴情報群の生成〕
次に、図６〜図９に示された履歴情報群の生成について説明する。この例では、処理システム１において、以下のような動作（操作）が行われる。
【０１１９】
《両替機における異常発生》
まず、２０１６年７月３日の１５：００において、両替機２０にセット外れ（両替機２０の異常、この例では包装硬貨収納部２０５の異常）が発生し、両替機２０におけるセット外れの発生が操作者に報知される。具体的には、両替機制御部２２０は、セット外れの発生を検知すると、両替機２０におけるセット外れの発生を報知するための画像を操作表示部２１１（または管理コンピュータ５０やタブレット端末２やスマートフォン３などの他の機器）に表示させる。
【０１２０】
両替機制御部２２０は、両替機２０におけるセット外れ（異常発生）に関する履歴情報（図６における第１番目の履歴情報）を、記憶部２１５に記憶された両替機２０に関する履歴情報群に追加する。
【０１２１】
《鍵管理機における鍵の取り出し》
次に、２０１６年７月３日の１５：０２〜１５：０３において、操作者が鍵管理機３０から両替機鍵と出納機鍵を取り出す。具体的には、操作者は、鍵管理機３０の操作表示部３１１を操作して鍵管理機３０にログインし、鍵管理機３０の開閉扉を開いて鍵管理機３０から両替機鍵と出納機鍵とを順に取り出す。その後、操作者が、鍵管理機３０の開閉扉を閉じると鍵管理機３０においてログオフが自動的に行われる。
【０１２２】
鍵管理機制御部３２０は、これらの動作に関する履歴情報（図７における第１番目〜第６番目の履歴情報）を、記憶部３１５に記憶された鍵管理機３０に関する履歴情報群に追加する。なお、これらの動作に関する履歴情報に含まれる操作者情報は、鍵管理機３０の認証処理（ログイン）において取得された操作者情報である。
【０１２３】
また、監視カメラ５１ａは、鍵管理機３０における操作者のログインと鍵管理機３０における筐体３００の開閉扉の開放とに応答して撮像を行い、これらの動作に関する履歴情報（図９における第１番目および第２番目の履歴情報）を、監視カメラ５１ａの記憶部（図示を省略）に記憶された監視カメラ５１ａに関する履歴情報群に追加する。
【０１２４】
《両替機における異常の解消》
次に、２０１６年７月３日の１５：０５において、操作者が両替機鍵を用いて両替機２０を解錠し、両替機２０の内部にアクセスして両替機２０におけるセット外れ（両替機２０の異常、この例では包装硬貨収納部２０５の異常）を解消する。その後、両替機２０が施錠され、両替機２０において精査処理（この例では包装硬貨収納部２０５に対する精査処理）が行われる。具体的には、操作者は、両替機鍵を用いて両替機２０を解錠し、両替機２０の内部（この例では包装硬貨収納部２０５）にアクセスして両替機２０におけるセット外れの要因を解除する。両替機制御部２２０は、両替機２０におけるセット外れの要因が解除されたことを検知すると、エラー解除リセット処理（両替機２０を復旧させるための処理）を開始し、エラー解除リセット処理が完了すると、そのことを示した画像を操作表示部２１１に表示させる。その後、操作者は、両替機鍵を用いて両替機２０を施錠する。そして、両替機制御部２２０は、包装硬貨自動精査処理（包装硬貨収納部２０５に対する精査処理）が行われるように両替機２０の動作を制御する。
【０１２５】
両替機制御部２２０は、これらの動作に関する履歴情報（図６における第２番目〜第６番目の履歴情報）を、記憶部２１５に記憶された両替機２０に関する履歴情報群に追加する。
【０１２６】
また、監視カメラ５１ｂは、両替機２０において行われた処理（例えば両替機鍵を用いた両替機２０の解錠など）に応答して撮像を行い、これらの動作に関する履歴情報を、監視カメラ５１ｂの記憶部（図示を省略）に記憶された監視カメラ５１ｂに関する履歴情報群（図示を省略）に追加する。
【０１２７】
《鍵管理機における鍵の返却》
次に、２０１６年７月３日の１５：１０〜１５：１１において、操作者が鍵管理機３０に両替機鍵と出納機鍵を返却する。具体的には、操作者は、鍵管理機３０の操作表示部３１１を操作して鍵管理機３０にログインし、鍵管理機３０の開閉扉を開いて鍵管理機３０に両替機鍵と出納機鍵とを順に返却する。その後、操作者が、鍵管理機３０の開閉扉を閉じると鍵管理機３０においてログオフが自動的に行われる。
【０１２８】
鍵管理機制御部３２０は、これらの動作に関する履歴情報（図７における第７番目〜第１２番目の履歴情報）を、記憶部３１５に記憶された鍵管理機３０に関する履歴情報群に追加する。なお、これらの動作に関する履歴情報に含まれる操作者情報は、鍵管理機３０の認証処理（ログイン）において取得された操作者情報である。
【０１２９】
また、監視カメラ５１ａは、鍵管理機３０における操作者のログインと鍵管理機３０における筐体３００の開閉扉の開放とに応答して撮像を行い、これらの動作に関する履歴情報（図９における第３番目および第４番目の履歴情報）を、監視カメラ５１ａの記憶部（図示を省略）に記憶された監視カメラ５１ａに関する履歴情報群に追加する。
【０１３０】
《鍵管理機における鍵の取り出し》
また、２０１６年９月９日の１５：００〜１５：０１において、操作者が鍵管理機３０から両替機鍵を取り出す。具体的には、操作者は、鍵管理機３０の操作表示部３１１を操作して鍵管理機３０にログインし、鍵管理機３０の開閉扉を開いて鍵管理機３０から両替機鍵を取り出す。その後、操作者は、鍵管理機３０の開閉扉を閉じると鍵管理機３０においてログオフが自動的に行われる。
【０１３１】
鍵管理機制御部３２０は、これらの動作に関する履歴情報（図７における第１０１番目〜第１０５番目の履歴情報）を、記憶部３１５に記憶された鍵管理機３０に関する履歴情報群に追加する。なお、これらの動作に関する履歴情報に含まれる操作者情報は、鍵管理機３０の認証処理（ログイン）において取得された操作者情報である。
【０１３２】
また、監視カメラ５１ａは、鍵管理機３０における操作者のログインと鍵管理機３０における筐体３００の開閉扉の開放とに応答して撮像を行い、これらの動作に関する履歴情報（図９における第１０１番目および第１０２番目の履歴情報）を、監視カメラ５１ａの記憶部（図示を省略）に記憶された監視カメラ５１ａに関する履歴情報群に追加する。
【０１３３】
《出納機における出金処理》
次に、２０１６年９月９日の１５：０５において、操作者が出納機４０を操作して出金処理を行う。出金処理では、出納機４０は、出納機４０に収納されている貨幣（この例では硬貨処理ユニット４０１に収納されている硬貨）を払い出す。具体的には、出納機制御部４２０は、操作者に対して認証処理を行い、操作者による出金操作（出金処理を実行させるための操作）に応答して出金処理が行われるように出納機４０の動作を制御する。
【０１３４】
出納機制御部４２０は、出納機４０の出金処理に関する履歴情報（図８における第１０１番目の履歴情報）を、記憶部４１５に記憶された履歴情報群に追加する。なお、この履歴情報に含まれる操作者情報は、出納機４０の認証処理において取得された操作者情報である。
【０１３５】
《両替機における装填処理》
次に、２０１６年９月９日の１５：１０〜１５：１１において、操作者が両替機２０を操作して装填処理を行う。装填処理では、出納機４０の出金処理において払い出された貨幣が両替機２０に装填される。具体的には、操作者は、操作者が両替機鍵を用いて両替機２０を解錠し、両替機２０の内部（この例では硬貨収納部２０４）にアクセスして貨幣を装填する。両替機２０への貨幣の装填が完了すると、操作者は、両替機鍵を用いて両替機２０を施錠する。そして、両替機制御部２２０は、装填金額確認処理（装填された貨幣の計数処理）が行われるように両替機２０を制御する。
【０１３６】
両替機制御部２２０は、これらの動作に関する履歴情報（図６における第１０１番目〜第１０４番目の履歴情報）を、記憶部２１５に記憶された両替機２０に関する履歴情報群に追加する。
【０１３７】
《鍵管理機における鍵の返却》
次に、２０１６年９月９日の１５：２０〜１５：２１において、操作者が鍵管理機３０に両替機鍵を返却する。具体的には、操作者は、鍵管理機３０の操作表示部３１１を操作して鍵管理機３０にログインし、鍵管理機３０の開閉扉を開いて鍵管理機３０に両替機鍵を返却する。その後、操作者は、鍵管理機３０の開閉扉を閉じると鍵管理機３０においてログオフが自動的に行われる。
【０１３８】
鍵管理機制御部３２０は、これらの動作に関する履歴情報（図７における第１０６番目〜第１１０番目の履歴情報）を、記憶部３１５に記憶された鍵管理機３０に関する履歴情報群に追加する。なお、これらの動作に関する履歴情報に含まれる操作者情報は、鍵管理機３０の認証処理（ログイン）において取得された操作者情報である。
【０１３９】
また、監視カメラ５１ａは、鍵管理機３０における操作者のログインと鍵管理機３０における筐体３００の開閉扉の開放とに応答して撮像を行い、これらの動作に関する履歴情報（図９における第１０３番目および第１０４番目の履歴情報）を、監視カメラ５１ａの記憶部（図示を省略）に記憶された監視カメラ５１ａに関する履歴情報群に追加する。
【０１４０】
〔履歴情報の検索：鍵管理機の履歴から両替機の履歴を検索〕
次に、図１２〜図１５を参照して、鍵管理機３０の履歴情報から両替機２０の履歴情報を検索する処理について説明する。ここでは、図７に示された鍵管理機３０に関する履歴情報群の中から第３番目の履歴情報が指定され、図６に示された両替機２０に関する履歴情報群の中から鍵管理機３０の第３番目の履歴情報に関連する両替機２０の第１番目〜第６番目の履歴情報が検出される場合を例に挙げて説明する。
【０１４１】
《鍵管理機に関するメニュー画面の表示》
まず、履歴制御部６０は、管理コンピュータ５０の操作部５０１に与えられた操作者による操作に応答して鍵管理機３０に関するメニュー画面（図１２参照）を表示部５０２に表示させる。図１２に示すように、鍵管理機３０に関するメニュー画面には、鍵管理機３０の履歴検索の実行を指示するための検索アイコン（図１２において「履歴検索」と記載されたアイコン）が設けられている。
【０１４２】
《鍵管理機に関する履歴情報の絞り込み》
図１２に示されたメニュー画面において検索アイコンを選択するための操作が操作部５０１に与えられると、履歴制御部６０は、鍵管理機履歴検索画面（図１３参照）を表示部５０２に表示させる。鍵管理機履歴検索画面は、鍵管理機３０に関する履歴情報群の中から対象となる履歴情報を絞り込むための条件を操作者に入力させるための画面である。また、図１３に示すように、鍵管理機履歴検索画面には、鍵管理機３０の履歴情報の絞り込み条件を入力するための入力欄と、入力欄に入力された絞り込み条件に基づいて鍵管理機３０の履歴情報の絞り込みを開始するための検索アイコン（図１３において「検索」と記載されたアイコン）とが設けられている。
【０１４３】
この例では、履歴検索の対象を「２０１６年７月３日の０：００〜２３：５９」に含まれる時刻を示した時刻情報を含む鍵管理機３０の履歴情報に絞り込むための条件を鍵管理機履歴検索画面に入力するための操作が操作部５０１に与えられた後に、鍵管理機履歴検索画面に設けられた検索アイコンを選択するための操作が操作部５０１に与えられる。
【０１４４】
《鍵管理機に関する履歴情報の絞り込み結果の表示》
次に、履歴制御部６０は、鍵管理機３０に関する履歴情報群に対して絞り込み処理を行う。絞り込み処理では、履歴制御部６０は、鍵管理機３０に関する履歴情報群の中から鍵管理機履歴検索画面（図１３参照）に入力された条件を満たす鍵管理機３０の履歴情報を検出する。そして、履歴制御部６０は、鍵管理機履歴表示画面（図１４参照）を表示部５０２に表示させる。鍵管理機履歴表示画面は、絞り込み処理により絞り込まれた鍵管理機３０の履歴情報の中から任意の履歴情報を操作者に指定させるための画面である。図１４に示すように、鍵管理機履歴表示画面には、絞り込み処理により絞り込まれた鍵管理機３０の履歴情報が掲載されている。この例では、図７に示された鍵管理機３０に関する履歴情報群のうち第２番目〜第５番目と第８番目〜第１１番目の履歴情報が絞り込み処理により検出され、鍵管理機履歴表示画面の履歴表示欄において、鍵管理機３０の第２番目〜第５番目の履歴情報が第１段目〜第４段目に掲載され、鍵管理機３０の第８番目〜第１１番目の履歴情報が第５段目〜第８段目に掲載されている。
【０１４５】
また、図１４に示すように、鍵管理機履歴表示画面に掲載された鍵管理機３０の履歴情報のうち少なくとも１つには、その鍵管理機３０の履歴情報に対応する両替機２０の履歴情報（関連履歴情報）を表示させるための参照アイコン（図１４において「参照」と記載されたアイコン）が対応付けられている。この例では、鍵管理機履歴表示画面に掲載された鍵管理機３０の履歴情報のうち第２段目、第３段目、第５段目および第６段目に掲載された鍵管理機３０の履歴情報（鍵３１の取り出しに関する鍵使用履歴情報）に参照アイコンが対応付けられている。
【０１４６】
《鍵管理機の履歴情報に対応する両替機の履歴情報の検出》
履歴制御部６０は、図１４に示された鍵管理機履歴表示画面においていずれかの参照アイコンを選択するための操作が操作部５０１に与えられると、その参照アイコンに対応付けられた鍵管理機３０の履歴情報に基づいて関連履歴検索処理を行う。この例では、鍵管理機履歴表示画面に掲載された鍵管理機３０の履歴情報のうち第２段目に掲載された鍵管理機３０の履歴情報（鍵使用履歴情報）に対応付けられた参照アイコンを選択するための操作が操作部５０１に与えられ、履歴制御部６０は、第２段目に掲載された鍵管理機３０の履歴情報（鍵使用履歴情報）に基づいて関連履歴検索処理を行う。この関連履歴検索処理では、履歴制御部６０は、複数の処理装置１０のうち鍵管理機３０の鍵使用履歴情報（鍵管理機履歴表示画面において選択された参照アイコンに対応付けられた鍵使用履歴情報）に含まれる鍵情報に対応する両替機２０に関する履歴情報群の中から、その鍵使用履歴情報に含まれる時刻情報に対応する時刻情報を含む両替機２０の履歴情報を関連履歴情報として検出する。
【０１４７】
なお、鍵管理機履歴表示画面において参照アイコンを選択するための操作は、複数の処理装置１０のうち鍵管理機３０に関する履歴情報群の中から任意の履歴情報（この例では鍵使用履歴情報）を指定履歴情報として指定するための履歴指定操作に相当する。すなわち、履歴制御部６０は、複数の処理装置１０のうち鍵管理機３０に関する履歴情報群の中から任意の履歴情報（この例では鍵使用履歴情報）を指定履歴情報として指定するための履歴指定操作が操作部５０１に与えられると、関連履歴検索処理を行う。関連履歴検索処理では、履歴制御部６０は、複数の処理装置１０のうち指定履歴情報である鍵管理機３０の履歴情報（この例では鍵使用履歴情報）に含まれる鍵情報に対応する両替機２０（貨幣処理機）に関する履歴情報群の中から、指定履歴情報である鍵管理機３０の履歴情報（この例では鍵使用履歴情報）に含まれる時刻情報に対応する時刻情報を含む両替機２０の履歴情報を関連履歴情報として検出する。
【０１４８】
この例では、履歴制御部６０は、関連履歴処理において以下の動作を行う。まず、履歴制御部６０は、指定履歴情報である鍵管理機３０の鍵使用履歴情報に含まれる鍵情報に示された両替機鍵に対応する両替機２０（すなわち鍵情報に示された両替機鍵により解錠可能な両替機２０）に関する履歴情報群を取得する。また、履歴制御部６０は、指定履歴情報である鍵管理機３０の鍵使用履歴情報に含まれる時刻情報に示された時刻を基準時刻として取得する。そして、履歴制御部６０は、両替機２０に関する履歴情報群の中から、基準時刻との時刻差（絶対値）が予め定められた時刻差閾値を下回る時刻（または時刻差閾値と同一となる時刻）を示した時刻情報を含む両替機２０の履歴情報を検出する。なお、時刻差閾値は、例えば、両替機２０と鍵管理機３０との間の移動に要する時間と両替機２０において両替機鍵を用いる処理（異常解消や装填処理など）に要する時間とに応じた時間（例えば１５分）に設定されている。この例では、図６に示された両替機２０に関する履歴情報群の中から第１番目〜第６番目の履歴情報が関連履歴情報として検出される。
【０１４９】
《履歴検索結果の表示》
次に、履歴制御部６０は、両替機ジャーナル表示画面（図１５参照）を表示部５０２にポップアップ表示させる。両替機ジャーナル表示画面には、履歴指定操作により指定された指定履歴情報である鍵管理機３０の履歴情報の一部または全部と、関連履歴検索処理により検出された関連履歴情報である両替機２０の履歴情報の一部または全部が掲載されている。具体的には、図１５に示すように、両替機ジャーナル表示画面の上部に設けられた鍵管理機履歴欄に、指定履歴情報である鍵管理機３０の履歴情報が掲載され、両替機ジャーナル表示画面における鍵管理機履歴欄の下部に設けられた両替機履歴欄に、関連履歴情報である両替機２０の履歴情報が掲載されている。この例では、両替機ジャーナル表示画面の鍵管理機履歴欄に、図７に示された鍵管理機３０の第３番目の履歴情報に含まれる時刻情報と操作者情報が掲載され、両替機ジャーナル表示画面の両替機履歴欄に、図６に示された両替機２０の第１番目〜第６番目の履歴情報に含まれる動作種別情報と時刻情報と金額情報が掲載されている。このように、履歴制御部６０は、指定履歴情報である鍵管理機３０の履歴情報と関連履歴情報である両替機２０の履歴情報とを表示部５０２に並べて表示させる。
【０１５０】
そして、操作者は、表示部５０２に表示された両替機ジャーナル表示画面（図１５参照）を参照して、操作者により指定された鍵管理機３０の履歴情報に対応する両替機２０の履歴情報を確認することができる。
【０１５１】
《関連履歴検索処理の変形例》
なお、履歴制御部６０は、関連履歴検索処理において次のような動作を行うように構成されていてもよい。すなわち、履歴制御部６０は、指定履歴情報である鍵管理機３０の鍵使用履歴情報に含まれる時刻情報に示された時刻を第１時刻として取得し、第１時刻に予め定められた待機時間を加算して第２時刻を取得するように構成されていてもよい。そして、履歴制御部６０は、指定履歴情報である鍵管理機３０の鍵使用履歴情報に含まれる鍵情報に示された両替機鍵に対応する両替機２０に関する履歴情報群の中から、第１時刻から第２時刻までの期間（第１時刻を始点として第２時刻を終点とする期間）に含まれる時刻を示した時刻情報を含む両替機２０の履歴情報を関連履歴情報として検出するように構成されていてもよい。なお、待機時間は、例えば、鍵管理機３０から両替機２０までの移動時間に応じた時間に設定されている。
【０１５２】
または、履歴制御部６０は、指定履歴情報である鍵管理機３０の鍵使用履歴情報に対応する鍵管理機３０の鍵返却履歴情報に含まれる時刻情報に示された時刻を第２時刻として取得するように構成されていてもよい。そして、履歴制御部６０は、指定履歴情報である鍵管理機３０の鍵使用履歴情報に含まれる鍵情報に示された両替機鍵に対応する両替機２０に関する履歴情報群の中から、第１時刻から第２時刻までの期間（第１時刻を始点として第２時刻を終点とする期間）に含まれる時刻を示した時刻情報を含む両替機２０の履歴情報を関連履歴情報として検出するように構成されていてもよい。なお、指定履歴情報である鍵管理機３０の鍵使用履歴情報に対応する鍵管理機３０の鍵返却履歴情報は、鍵使用履歴情報の鍵情報に示された鍵と同一の鍵を示した鍵情報と、鍵使用履歴情報の時刻情報に示された時刻（第１時刻）よりも遅く且つ第１時刻に最も近い時刻を示した時刻情報とを含んでいる。
【０１５３】
〔履歴情報の検索：両替機の履歴から鍵管理機の履歴を検索〕
次に、図１６〜図１８を参照して、両替機２０の履歴情報から鍵管理機３０の履歴情報を検索する処理について説明する。ここでは、図６に示された両替機２０に関する履歴情報群の中から第１０４番目の履歴情報が指定され、図７に示された鍵管理機３０に関する履歴情報群の中から両替機２０の第１０４番目の履歴情報に関連する鍵管理機３０の第１０３番目および第１０８番目の履歴情報が検出される場合を例に挙げて説明する。
【０１５４】
《両替機に関する履歴情報の絞り込み》
まず、履歴制御部６０は、操作者による操作に応答して両替機履歴検索画面（図示を省略）を表示部５０２に表示させる。この例では、履歴検索の対象を「２０１６年９月９日の０：００〜２３：５９」に含まれる時刻を示した時刻情報を含む鍵管理機３０の履歴情報に絞り込むための条件を両替機履歴検索画面に入力するための操作が操作部５０１に与えられた後に、両替機履歴検索画面に設けられた検索アイコン（入力された絞り込み条件に基づいて両替機２０の履歴情報の絞り込みを開始するためのアイコン）を選択するための操作が操作部５０１に与えられる。
【０１５５】
《両替機に関する履歴情報の絞り込み結果の表示》
次に、履歴制御部６０は、両替機２０に関する履歴情報群に対して絞り込み処理を行う。絞り込み処理では、履歴制御部６０は、両替機２０に関する履歴情報群の中から両替機履歴検索画面に入力された条件を満たす両替機２０の履歴情報を検出する。そして、履歴制御部６０は、両替機履歴表示画面（図１６参照）を表示部５０２に表示させる。両替機履歴表示画面は、絞り込み処理により絞り込まれた両替機２０の履歴情報の中から任意の履歴情報を操作者に指定させるための画面である。両替機履歴表示画面には、絞り込み処理により絞り込まれた両替機２０の履歴情報の一部または全部が掲載されている。図１６に示すように、この例では、図６に示された両替機２０に関する履歴情報群のうち第１０４番目の履歴情報が絞り込み処理により検出され、両替機履歴表示画面の処理結果表示欄に、両替機２０の第１０４番目の履歴情報（装填金額確認に関する履歴情報）に含まれる動作種別情報と時刻情報が掲載されている。
【０１５６】
また、図１６に示すように、両替機履歴表示画面に掲載された両替機２０の履歴情報のうち少なくとも１つ（この例では装填金額確認に関する履歴情報）には、その両替機２０の履歴情報の詳細を表示させるための表示アイコン（図１６において「表示」と記載されたアイコン）が対応付けられている。
【０１５７】
《両替機に関する履歴情報の表示》
次に、履歴制御部６０は、図１６に示された両替機履歴表示画面において表示アイコンを選択するための操作が操作部５０１に与えられると、両替機履歴詳細画面（図１７）を表示部５０２に表示させる。両替機履歴詳細画面には、両替機履歴表示画面において選択された表示アイコンに対応付けられた両替機２０の履歴情報の一部または全部が掲載されている。図１７に示すように、この例では、両替機履歴詳細画面には、図６に示された両替機２０に関する履歴情報群のうち第１０４番目の履歴情報（装填金額確認に関する履歴情報）に含まれる動作種別情報と時刻情報と金額情報が掲載されている。
【０１５８】
また、図１７に示すように、両替機履歴詳細画面には、両替機履歴詳細画面に掲載された両替機２０の履歴情報に対応する鍵管理機３０の履歴情報（関連履歴情報）を表示させるための鍵使用履歴アイコン（図１７において「鍵使用履歴」と記載されたアイコン）が設けられている。
【０１５９】
《両替機の履歴情報に対応する鍵管理機の履歴情報の検出》
履歴制御部６０は、図１７に示された両替機履歴詳細画面において鍵使用履歴アイコンを選択するための操作が操作部５０１に与えられると、両替機履歴詳細画面に掲載された両替機２０の履歴情報に基づいて関連履歴検索処理を行う。関連履歴検索処理では、履歴制御部６０は、複数の処理装置１０のうち鍵管理機３０に関する履歴情報群の中から、両替機履歴詳細画面に履歴情報が掲載された両替機２０に対応する鍵情報を含み且つ両替機履歴詳細画面に掲載された両替機２０の履歴情報に含まれる時刻情報に対応する時刻情報を含む鍵管理機３０の履歴情報（この例では鍵使用履歴情報と鍵返却履歴情報）を関連履歴情報として検出する。
【０１６０】
なお、両替機履歴詳細画面において鍵使用履歴アイコンを選択するための操作は、複数の処理装置１０のうち両替機２０に関する履歴情報群の中から任意の履歴情報を指定履歴情報として指定するための操作（履歴指定操作）に相当し、両替機履歴詳細画面に履歴情報が掲載された両替機２０は、履歴指定操作の対象となる両替機２０に相当する。すなわち、履歴制御部６０は、複数の処理装置１０のうち両替機２０に関する履歴情報群の中から任意の履歴情報を指定履歴情報として指定するための履歴指定操作が操作部５０１に与えられると、関連履歴検索処理を行う。この関連履歴検索処理では、履歴制御部６０は、複数の処理装置１０のうち鍵管理機３０に関する履歴情報群の中から、履歴指定操作の対象となる両替機２０に対応する鍵情報と履歴指定操作により指定された両替機２０の履歴情報（指定履歴情報）に含まれる時刻情報に対応する時刻情報とを含む鍵管理機３０の履歴情報（この例では鍵使用履歴情報と鍵返却履歴情報）を関連履歴情報として検出する。
【０１６１】
この例では、履歴制御部６０は、関連履歴処理において以下の動作を行う。まず、履歴制御部６０は、指定履歴情報である両替機２０の履歴情報に含まれる時刻情報に示された時刻（この例では両替機２０の第１０４番目の履歴情報に含まれる時刻情報に示された時刻である2016/09/09の15:11）を基準時刻として取得する。そして、履歴制御部６０は、鍵管理機３０に関する履歴情報群の中から、履歴指定操作の対象となる両替機２０に対応する両替機鍵（すなわち履歴指定操作の対象となる両替機２０を解錠可能な両替機鍵）を示した鍵情報を含む鍵管理機３０の履歴情報（鍵使用履歴情報および鍵返却履歴情報）を検出し、その検出された鍵管理機３０の履歴情報の中から、基準時刻との時刻差（絶対値）が予め定められた時刻差閾値を下回る時刻（または時刻差閾値と同一となる時刻）を示した時刻情報を含む鍵管理機３０の履歴情報（鍵使用履歴情報および鍵返却履歴情報）を関連履歴情報として検出する。なお、時刻差閾値は、例えば、両替機２０と鍵管理機３０との間の移動に要する時間と両替機２０において両替機鍵を用いる処理（異常解消や装填処理など）に要する時間とに応じた時間（例えば１５分）に設定されている。この例では、図７に示された鍵管理機３０に関する履歴情報群の中から第１０３番目と第１０８番目の履歴情報が関連履歴情報として検出される。
【０１６２】
《履歴検索結果の表示》
次に、履歴制御部６０は、鍵管理機履歴表示画面（図１８参照）を表示部５０２に表示させる。鍵管理機履歴表示画面には、関連履歴検索処理により検出された関連履歴情報である鍵管理機３０の履歴情報の一部または全部が掲載されている。図１８に示すように、この例では、鍵管理機履歴表示画面の履歴表示欄において、鍵管理機３０の第１０３番目の履歴情報（鍵使用履歴情報）が第１段目に掲載され、鍵管理機３０の第１０８番目の履歴情報（鍵返却履歴情報）が第２段目に掲載されている。
【０１６３】
また、図１８に示すように、鍵管理機履歴表示画面に掲載された鍵管理機３０の履歴情報のうち少なくとも１つには、その鍵管理機３０の履歴情報に対応する両替機２０の履歴情報（関連履歴情報）を表示させるための参照アイコン（図１８において「参照」と記載されたアイコン）が対応付けられている。この例では、鍵管理機履歴表示画面に掲載された鍵管理機３０の履歴情報のうち第１段目に掲載された鍵管理機３０の履歴情報（鍵使用履歴情報）と第２段目に掲載された鍵管理機３０の履歴情報（鍵返却履歴情報）に参照アイコンが対応付けられている。
【０１６４】
そして、操作者は、表示部５０２に表示された鍵管理機履歴表示画面（図１８参照）を参照して、操作者により指定された両替機２０の履歴情報に対応する鍵管理機３０の履歴情報を確認することができる。これにより、操作者は、両替機２０の装填処理が行われたときに両替機鍵が山田太郎（操作者ＩＤ：００１）によって取り出されていたことを一目で確認することができる。
【０１６５】
《履歴検索結果の表示の変形例》
なお、関連履歴検索処理において、鍵管理機３０に関する履歴情報群の中から鍵管理機３０の鍵使用履歴情報および鍵返却履歴情報ではない他の履歴情報（例えばログインや開閉扉の開閉に関する履歴情報）が関連履歴情報として検出されてもよい。すなわち、履歴制御部６０は、関連履歴検索処理において、複数の処理装置１０のうち鍵管理機３０に関する履歴情報群の中から、履歴指定操作により指定された両替機２０の履歴情報（指定履歴情報）に含まれる時刻情報に対応する時刻情報を含む鍵管理機３０の履歴情報を関連履歴情報として検出するように構成されていてもよい。このように構成した場合、例えば、関連履歴検索処理において、図７に示された鍵管理機３０に関する履歴情報群の中から第１０１番目〜第１１０番目の履歴情報が関連履歴情報として検出され、図１９に示すように、鍵管理機履歴表示画面の履歴表示欄において、鍵管理機３０の第１０１番目〜第１１０番目の履歴情報が第１段目〜第１０段目に掲載される。すなわち、図１９に示した鍵管理機履歴表示画面の履歴表示欄には、鍵の抜き取りおよび戻し入れに関する履歴情報だけでなく、鍵管理機３０のログインや扉の開閉に関する履歴情報も掲載されていてもよい。
【０１６６】
また、履歴制御部６０は、関連画像検索処理を行うように構成されていてもよい。関連画像検索処理では、履歴制御部６０は、鍵管理機３０の近傍に設けられた監視カメラ５１ａに関する履歴情報群の中から、関連履歴情報である鍵管理機３０の履歴情報に含まれる動作条件情報に対応する動作条件を含む監視カメラ５１ａの履歴情報を検出するように構成されていてもよい。具体的には、履歴制御部６０は、関連画像検索処理において、関連履歴情報である鍵管理機３０の履歴情報に含まれる時刻情報に示された時刻を基準時刻として取得し、監視カメラ５１ａに関する履歴情報群の中から、基準時刻との時刻差が予め定められた時刻差許容値を下回る時刻（または時間差許容値と同一となる時刻）を示した時刻情報に含まれる監視カメラ５１ａの履歴情報を検出するように構成されていてもよい。なお、時刻差許容値は、例えば、同時に行われたとみなすことができる鍵管理機３０における動作の時刻と監視カメラ５１ａにおける撮像の時刻との時刻差（例えば１０秒）に設定されている。
【０１６７】
そして、図１９に示すように、鍵管理機履歴表示画面に掲載された鍵管理機３０の履歴情報のうち少なくとも１つには、その鍵管理機３０の履歴情報に対応する監視カメラ５１ａの履歴情報（関連画像検索処理において検出された監視カメラ５１ａの履歴情報）に含まれる画像情報を表示させるための参照アイコン（図１９において「カメラ画像」と記載された列に設けられて「参照」と記載されたアイコン）が対応付けられていてもよい。このように、履歴制御部６０は、関連履歴情報である鍵管理機３０の履歴情報に対応する監視カメラ５１ａの履歴情報に含まれる画像情報を表示部５０２に表示させるように構成されていてもよい。このように構成することにより、例えば、図１９に示された鍵管理機履歴表示画面の履歴表示欄において第１段目の履歴情報に対応する参照アイコンが選択されると、鍵管理機３０においてログインが行われたときの撮像画像（すなわち図９に示された監視カメラ５１ａの第１０１番目の履歴情報の「画像No.101」）が表示される。これにより、操作者は、データ上の鍵管理機３０の操作者である山田太郎（操作者ＩＤ：００１）が本当にログインしていたか否か（鍵管理機３０の操作者が山田太郎になりすまして鍵管理機３０にログインしていたか否か）を確認することができる。
【０１６８】
〔履歴情報の検索：鍵管理機の履歴から両替機および出納機の履歴を検索〕
次に、図２０〜図２５を参照して、鍵管理機３０の履歴情報から両替機２０の履歴情報と出納機４０の履歴情報を検索する処理について説明する。ここでは、図７に示された鍵管理機３０に関する履歴情報群の中から第１０３番目の履歴情報が指定され、図６に示された両替機２０に関する履歴情報群の中から鍵管理機３０の第１０３番目の履歴情報（両替機鍵の抜き取り）に関連する両替機２０の第１０４番目の履歴情報（装填処理）が検出され、その後、両替機２０の第１０４番目の履歴情報が指定され、図８に示された出納機４０に関する履歴情報群の中から両替機２０の第１０４番目の履歴情報（装填処理）に対応する出納機４０の第１０１番目の履歴情報（出金処理）が検出される場合を例に挙げて説明する。
【０１６９】
《鍵管理機に関する履歴情報の絞り込み》
まず、履歴制御部６０は、操作者による操作に応答して鍵管理機履歴検索画面（図２０参照）を表示部５０２に表示させる。この例では、履歴検索の対象を「２０１６年９月９日の０：００〜２３：５９」に含まれる時刻を示した時刻情報を含む鍵管理機３０の履歴情報に絞り込むための条件を鍵管理機履歴検索画面に入力するための操作が操作部５０１に与えられる。また、履歴検索の対象を「両替機」に対応する鍵情報を含む鍵管理機３０の履歴情報に絞り込むための条件を入力するための操作（具体的には、両替機のみ検索したい場合にチェックされるチェックボックスにチェックを入れるための操作）が操作部５０１に与えられる。その後、鍵管理機履歴検索画面に設けられた検索アイコンを選択するための操作が操作部５０１に与えられる。
【０１７０】
《鍵管理機に関する履歴情報の絞り込み結果の表示》
次に、履歴制御部６０は、鍵管理機３０に関する履歴情報群に対して絞り込み処理を行う。絞り込み処理では、履歴制御部６０は、鍵管理機３０に関する履歴情報群の中から鍵管理機履歴検索画面（図２０参照）に入力された条件を満たす鍵管理機３０の履歴情報を検出する。そして、履歴制御部６０は、鍵管理機履歴表示画面（図２１参照）を表示部５０２に表示させる。この例では、図７に示された鍵管理機３０に関する履歴情報群のうち第１０３番目と第１０８番目の履歴情報が絞り込み処理により検出され、鍵管理機履歴表示画面の履歴表示欄において、鍵管理機３０の第１０３番目の履歴情報が第１段目に掲載され、鍵管理機３０の第１０８番目の履歴情報が第２段目に掲載されている。また、この例では、鍵管理機履歴表示画面に掲載された鍵管理機３０の履歴情報のうち第１段目に掲載された鍵管理機３０の履歴情報（鍵３１の取り出しに関する鍵使用履歴情報）と第２段目に掲載された鍵管理機３０の履歴情報（鍵返却履歴情報）に参照アイコンが対応付けられている。
【０１７１】
《鍵管理機の履歴情報に対応する両替機の履歴情報の検出》
履歴制御部６０は、図２１に示された鍵管理機履歴表示画面においていずれかの参照アイコンを選択するための操作（履歴指定操作）が操作部５０１に与えられると、その参照アイコンに対応付けられた鍵管理機３０の履歴情報に基づいて第１関連履歴検索処理を行う。この例では、鍵管理機履歴表示画面に掲載された鍵管理機３０の履歴情報のうち第１段目に掲載された鍵管理機３０の履歴情報（鍵使用履歴情報）に対応付けられた参照アイコンを選択するための操作が操作部５０１に与えられ、履歴制御部６０は、第１段目に掲載された鍵管理機３０の履歴情報（鍵使用履歴情報）に基づいて第１関連履歴検索処理を行う。この第１関連履歴検索処理では、履歴制御部６０は、複数の処理装置１０のうち鍵管理機３０の鍵使用履歴情報（鍵管理機履歴表示画面において選択された参照アイコンに対応付けられた鍵使用履歴情報）に含まれる鍵情報に対応する両替機２０に関する履歴情報群の中から、その鍵使用履歴情報（履歴指定操作により指定された指定履歴情報）に含まれる時刻情報に対応する時刻情報を含む両替機２０の履歴情報を関連履歴情報として検出する。具体的には、履歴制御部６０は、両替機２０に関する履歴情報群の中から、履歴指定操作により指定された指定履歴情報に含まれる時刻情報に示された時刻（この例では図７の鍵管理機３０の第１０３番目の履歴情報に含まれる時刻情報に示された時刻である2016/09/09の15:00）以降の時刻を示した時刻情報を含む両替機２０の履歴情報（この例では図６に示した両替機２０の第１０１番目〜第１０４番目の履歴情報（装填処理に関する履歴情報））を関連履歴情報として検出する。
【０１７２】
《履歴検索結果（両替機履歴）の表示》
次に、履歴制御部６０は、両替機ジャーナル表示画面（図２２参照）を表示部５０２にポップアップ表示させる。両替機ジャーナル表示画面には、履歴指定操作により指定された指定履歴情報である鍵管理機３０の履歴情報の一部または全部と、第１関連履歴検索処理により検出された関連履歴情報である両替機２０の履歴情報の一部または全部が掲載されている。図２２に示すように、この例では、両替機ジャーナル表示画面の鍵管理機履歴欄に、図７に示された鍵管理機３０の第１０３番目の履歴情報に含まれる時刻情報と操作者情報が掲載され、両替機ジャーナル表示画面の両替機履歴欄に、図６に示された両替機２０の第１０４番目の履歴情報（装填金額確認に関する履歴情報）に含まれる動作種別情報と時刻情報と金額情報が掲載されている。
【０１７３】
また、図２２に示すように、両替機ジャーナル表示画面には、両替機ジャーナル表示画面を閉じて両替機ジャーナル表示画面に掲載された両替機２０の履歴情報に対応する出納機４０の履歴情報を表示させるための追跡検索アイコン（図２２において「追跡検索」と記載されたアイコン）が設けられている。
【０１７４】
《両替機の履歴情報に対応する出納機の履歴情報の検出》
次に、履歴制御部６０は、図２２に示された両替機ジャーナル表示画面において追跡検索アイコンを選択するための操作（履歴指定操作）が操作部５０１に与えられると、両替機ジャーナル表示画面に掲載された両替機２０の履歴情報に基づいて第２関連履歴検索処理を行う。第２関連履歴検索処理では、履歴制御部６０は、複数の処理装置１０のうち出納機４０に関する履歴情報群の中から、両替機ジャーナル表示画面に掲載された両替機２０の履歴情報（履歴指定操作により指定された指定履歴情報）に含まれる時刻情報に対応する時刻情報を含む出納機４０の履歴情報を関連履歴情報として検出する。具体的には、履歴制御部６０は、出納機４０に関する履歴情報群の中から、履歴指定操作により指定された指定履歴情報に含まれる時刻情報に示された時刻（この例では図６の両替機２０の第１０４番目の履歴情報に含まれる時刻情報に示された時刻である2016/09/09の15:11）よりも早い時刻を示した時刻情報を含む出納機４０の履歴情報（この例では図８に示した出納機４０の第１０１番目の履歴情報（出金処理に関連する履歴情報））を関連履歴情報として検出する。
【０１７５】
《履歴検索結果（出納機）の表示》
次に、履歴制御部６０は、出納機履歴表示画面（図２３参照）を表示部５０２に表示させる。図２３に示すように、出納機履歴表示画面は、第２関連履歴検索処理により検出された出納機４０の履歴情報の中から任意の履歴情報を操作者に指定させるための画面である。出納機履歴表示画面には、第２関連履歴検索処理により検出された出納機４０の履歴情報の一部または全部が掲載されている。図２３に示すように、この例では、出納機履歴表示画面の処理結果表示欄に、出納機４０の第１０１番目の履歴情報（出金処理に関する履歴情報）に含まれる動作種別情報と時刻情報が掲載されている。
【０１７６】
また、図２３に示すように、出納機履歴表示画面に掲載された出納機４０の履歴情報のうち少なくとも１つ（この例では出金処理に関する履歴情報）には、その出納機４０の履歴情報の詳細を表示させるための表示アイコン（図２３において「表示」と記載されたアイコン）が対応付けられている。
【０１７７】
《出納機に関する履歴情報の表示》
次に、履歴制御部６０は、図２３に示された出納機履歴表示画面において表示アイコンを選択するための操作が操作部５０１に与えられると、出納機履歴詳細画面（図２４参照）を表示部５０２に表示させる。図２３に示すように、出納機履歴詳細画面には、出納機履歴表示画面において選択された表示アイコンに対応付けられた出納機４０の履歴情報が掲載されている。この例では、出納機履歴詳細画面には、図８に示された出納機４０に関する履歴情報群のうち第１０１番目の履歴情報（出金処理に関する履歴情報）に含まれる動作種別情報と時刻情報と金額情報が掲載されている。
【０１７８】
また、図２４に示すように、出納機履歴詳細画面には、出納機履歴詳細画面に掲載された出納機４０の履歴情報に対応する鍵管理機３０の履歴情報（関連履歴情報）を表示させるための鍵使用履歴アイコン（図２４において「鍵使用履歴」と記載されたアイコン）が設けられている。
【０１７９】
そして、操作者は、表示部５０２に表示された出納機履歴表示画面（図２３参照）または出納機履歴詳細画面（図２４参照）を参照して、操作者により指定された両替機２０の履歴情報に対応する出納機４０の履歴情報を確認することができる。これにより、操作者は、2016/09/09の15:11に両替機２０に装填された貨幣が2016/09/09の15:00に山田太郎（操作者ＩＤ：００１）によって出納機４０から出金された貨幣であることを容易に確認することができる。
【０１８０】
《履歴検索結果（両替機と出納機）の表示》
なお、履歴制御部６０は、操作部５０１に与えられた操作者による操作に応答して、ジャーナル表示画面（図２５参照）を表示部５０２に表示させるように構成されていてもよい。ジャーナル表示画面には、第２関連履歴検索処理における指定履歴情報である両替機２０の履歴情報と、第２関連履歴処理における関連履歴情報である出納機４０の履歴情報とが掲載されている。この例では、ジャーナル表示画面の右欄に、図６に示された両替機２０の第１０４番目の履歴情報（装填金額確認に関する履歴情報）に含まれる動作種別情報と時刻情報と金額情報が掲載され、ジャーナル表示画面の左欄に、図８に示された出納機４０の第１０１番目の履歴情報（出金処理に関する履歴情報）に含まれる動作種別情報と時刻情報と金額情報が掲載されている。このように、履歴制御部６０は、指定履歴情報である両替機２０の履歴情報と関連履歴情報である出納機４０の履歴情報とを表示部５０２に並べて表示させるように構成されていてもよい。このように構成することにより、操作者は、２つの履歴情報（指定履歴情報と関連履歴情報）を一目で確認（または比較）することができる。
【０１８１】
《関連履歴検索処理の変形例》
なお、履歴制御部６０は、第２関連履歴検索処理（両替機２０の履歴情報から出納機４０の履歴情報を検索する処理）において、複数の処理装置１０のうち出納機４０に関する履歴情報群の中から、両替機履歴詳細画面に履歴情報が掲載された両替機２０の履歴情報（履歴指定操作により指定された指定履歴情報）に含まれる時刻情報および金額情報に対応する時刻情報および金額情報を含む出納機４０の履歴情報を関連履歴情報として検出するように構成されていてもよい。
【０１８２】
具体的には、履歴制御部６０は、指定履歴情報である両替機２０の履歴情報に含まれる時刻情報に示された時刻（この例では図６の両替機２０の第１０４番目の履歴情報に含まれる時刻情報に示された時刻である2016/09/09の15:11）を基準時刻として取得し、指定履歴情報である両替機２０の履歴情報に含まれる金額情報に示された貨幣の金額（この例では図６の両替機２０の第１０４番目の履歴情報に含まれる金額情報に示された貨幣の金額である５００円硬貨１枚と１００円硬貨１０枚）を基準金額として取得し、出納機４０に関する履歴情報群の中から、基準時刻との時刻差（絶対値）が予め定められた時刻差閾値を下回る時刻（または時刻差閾値と同一となる時刻）を示した時刻情報を含み且つ基準金額との金額差（絶対値）が予め定められた金額差閾値を下回る金額（または金額差閾値と同一となる時刻）を含む出納機４０の履歴情報（この例では図８に示した出納機４０の第１０１番目の履歴情報）を関連履歴情報として検出するように構成されていてもよい。なお、時刻差閾値は、例えば、両替機２０と出納機４０との間の移動に要する時間と両替機２０および出納機４０が連携して行う処理（出納機４０から出金された貨幣を両替機２０に装填する処理）に要する時間とに応じた時間（例えば１５分）に設定されている。このように、時刻情報だけでなく、金額情報や場合によっては動作種別情報に基づいて履歴情報を検索することにより、適正な履歴情報を精度よく抽出することができる。
【０１８３】
〔実施形態による効果〕
以上のように、この実施形態では、履歴制御部６０は、検索条件を指定する操作が操作部５０１に与えられると、複数の処理装置１０の動作にそれぞれ関する複数の履歴情報群の中から検索条件に合致する履歴情報を検出するように構成されている。このような構成により、検索条件に基づいて所望の履歴情報を検出することができる。これにより、履歴検索に要する操作者の負担を軽減することができる。
【０１８４】
また、検索条件は、処理装置１０において動作が行われた時刻を特定するための時刻情報と、処理装置１０を操作した操作者を特定するための操作者情報と、処理装置１０において処理された貨幣の金額を特定するための金額情報と、処理装置１０を特定するための装置情報のうち少なくとも１つに関する条件が含まれている。このような構成により、時刻情報と操作者情報と金額情報と装置情報のうち少なくとも１つに基づいて所望の履歴情報を検出することができる。これにより、履歴検索に要する操作者の負担を軽減することができる。
【０１８５】
また、この例では、履歴制御部６０は、複数の処理装置１０のうち任意の処理装置１０に関する履歴情報群の中から任意の履歴情報を指定履歴情報として指定する履歴指定操作が操作部５０１に与えられると、複数の処理装置１０のうち履歴指定操作の対象となる処理装置１０を除く他の処理装置に関する他の履歴情報群の中から指定履歴情報に含まれる動作条件情報に対応する動作条件情報を含む他の履歴情報を関連履歴情報として検出するように構成されている。このような構成により、処理装置１０において動作が行われたときの動作条件に基づいて、操作者により指定された処理装置１０の履歴情報（指定履歴情報）に対応する他の処理装置１０の履歴情報（関連履歴情報）を検出することができる。これにより、履歴検索に要する操作者の負担を軽減することができる。
【０１８６】
また、動作条件情報は、その動作条件情報に対応付けられた動作種別情報に示された動作が行われた時刻を特定するための時刻情報を含んでいる。そのため、処理装置１０において動作が行われた時刻に基づいて、操作者により指定された処理装置１０の履歴情報（指定履歴情報）に対応する他の処理装置１０の履歴情報（関連履歴情報）を検出することができる。例えば、指定履歴情報に含まれる時刻情報に示された時刻との時刻差（絶対値）が所定の時刻差を下回る時刻を示した時刻情報を含む関連履歴情報を検出することができる。これにより、履歴検索に要する操作者の負担を軽減することができる。
【０１８７】
また、動作条件情報は、その動作条件情報に対応付けられた動作種別情報に示された動作が行われるように処理装置１０を操作した操作者を特定するための操作者情報を含んでいる。そのため、処理装置１０を操作した操作者に基づいて、操作者により指定された処理装置１０の履歴情報（指定履歴情報）に対応する他の処理装置１０の履歴情報（関連履歴情報）を検出することができる。例えば、指定履歴情報に含まれる操作者情報に示された操作者と同一の操作者（または関連のある操作者）を示した操作者情報を含む関連履歴情報を検出することができる。これにより、履歴検索に要する操作者の負担を軽減することができる。
【０１８８】
また、動作条件情報は、その動作条件情報に対応付けられた動作種別情報に示された動作により処理された貨幣の金額を特定するための金額情報を含んでいる。そのため、処理装置１０の動作により処理された貨幣の金額に基づいて、操作者により指定された処理装置１０の履歴情報（指定履歴情報）に対応する他の処理装置１０の履歴情報（関連履歴情報）を検出することができる。例えば、指定履歴情報に含まれる金額情報に示された金額との金額差が所定の金額差を下回る金額を示した金額情報を含む関連履歴情報を検出することができる。これにより、履歴検索に要する操作者の負担を軽減することができる。
【０１８９】
複数の処理装置１０のうち少なくとも１つ（この例では鍵管理機３０と出納機４０）は、処理装置１０を操作する操作者を特定するための操作者情報を取得して操作者を認証する認証処理を行うように構成されている。そして、複数の処理装置１０のうち認証処理を行うように構成された処理装置１０（この例では鍵管理機３０と出納機４０）に関する履歴情報群の履歴情報に含まれる動作条件情報は、認証処理において取得された操作者情報を含んでいる。このような構成により、認証処理を行うように構成された処理装置１０に関する履歴情報群の履歴情報に含まれる操作者情報に基づいて処理装置１０の操作者を特定することができる。
【０１９０】
また、履歴制御部６０は、監視カメラ５１に関する履歴情報群の中から関連履歴情報（操作者により指定された処理装置１０の履歴情報に対応する他の処理装置１０の履歴情報）に含まれる動作条件情報に対応する動作条件を含む履歴情報を検出するように構成されている。このような構成により、処理装置１０において動作が行われたときの動作条件に基づいて、関連履歴情報（操作者により指定された処理装置１０の履歴情報に対応する他の処理装置１０の履歴情報）に対応する監視カメラ５１の履歴情報を検出することができる。これにより、履歴検索に要する操作者の負担を軽減することができる。
【０１９１】
また、この例では、鍵管理機３０に関する履歴情報群は、鍵３１の取り出しに関する履歴情報（鍵使用履歴情報）を含んでいる。鍵使用履歴情報において、動作種別情報は、鍵管理機３０から鍵３１が取り出されたという動作を示し、動作条件情報は、鍵管理機３０から鍵３１が取り出された時刻を特定するための時刻情報と、鍵管理機３０から取り出された鍵３１を特定するための鍵情報と、鍵管理機３０から鍵３１を取り出した操作者を特定するための操作者情報とを含んでいる。このような構成により、両替機２０の履歴情報に含まれる時刻情報と鍵管理機３０の鍵使用履歴情報に含まれる鍵情報および時刻情報とに基づいて、両替機２０の解錠履歴情報および鍵管理機３０の鍵使用履歴情報のうち一方の履歴情報（指定履歴情報）から他方の履歴情報（関連履歴情報）を検出することができる。これにより、履歴検索に要する操作者の負担を軽減することができる。
【０１９２】
具体的には、この例では、履歴制御部６０は、複数の処理装置１０のうち鍵管理機３０に関する履歴情報群の中から任意の鍵使用履歴情報を指定履歴情報として指定するための履歴指定操作が操作部５０１に与えられると、複数の処理装置１０のうち鍵使用履歴情報に含まれる鍵情報に対応する両替機２０（貨幣処理機）に関する履歴情報群の中から鍵使用履歴情報に含まれる時刻情報に対応する時刻情報を含む解錠履歴情報を関連履歴情報として検出するように構成されている。このような構成により、両替機２０（貨幣処理機）の履歴情報に含まれる時刻情報と鍵管理機３０の鍵使用履歴情報に含まれる鍵情報および時刻情報とに基づいて、鍵管理機３０の鍵使用履歴情報から両替機２０の解錠履歴情報を検出することができる。これにより、履歴検索に要する操作者の負担を軽減することができる。
【０１９３】
また、この例では、履歴制御部６０は、複数の処理装置１０のうち両替機２０（貨幣処理機）に関する履歴情報群の中から任意の履歴情報を指定履歴情報として指定するための履歴指定操作が操作部５０１に与えられると、複数の処理装置１０のうち鍵管理機３０に関する履歴情報群の中から履歴指定操作の対象となる両替機２０（貨幣処理機）に対応する鍵情報と履歴指定操作により指定された履歴情報に含まれる時刻情報に対応する時刻情報とを含む鍵使用履歴情報を関連履歴情報として検出するように構成されている。このような構成により、両替機２０（貨幣処理機）の履歴情報に含まれる時刻情報と鍵管理機３０の鍵使用履歴情報に含まれる鍵情報および時刻情報とに基づいて、両替機２０の解錠履歴情報（指定履歴情報）から鍵管理機３０の鍵使用履歴情報（関連履歴情報）を検出することができる。これにより、履歴検索に要する操作者の負担を軽減することができる。
【０１９４】
また、この例では、履歴制御部６０は、指定履歴情報と関連履歴情報とを表示部５０２に並べて表示させるように構成されている。このような構成により、指定履歴情報と関連履歴情報とを表示して比較させることができる。
【０１９５】
（その他の実施形態）
なお、以上の説明では、履歴制御部６０が関連装置情報を用いて履歴情報の検索を行う場合を例に挙げたが、履歴制御部６０は、関連装置情報を用いずに、検索条件に合致する履歴情報を検出するように構成されていてもよい。例えば、履歴制御部６０は、処理装置１０において動作が行われた時刻を特定するための時刻情報と処理装置１０を操作した操作者を特定するための操作者情報と処理装置１０において処理された貨幣の金額を特定するための金額情報のうち少なくとも１つと、処理装置１０を特定するための装置情報とを指定するための操作（操作者による操作）が操作部５０１に与えられると、複数の処理装置１０の動作にそれぞれ関する複数の履歴情報群の中からそれらの情報（時刻情報と操作者情報と金額情報の少なくとも１つと装置情報）に合致する履歴情報を検出するように構成されていてもよい。
【０１９６】
また、管理コンピュータ５０には、履歴制御部６０による検索結果を示したジャーナル（紙）を発行するジャーナル発行部（プリンタ）が設けられていてもよい。また、履歴制御部６０による検索結果を示したジャーナルは、両替機２０のジャーナル発行部２１２（図２参照）から発行されてもよいし、鍵管理機３０のジャーナル発行部３１３（図３参照）から発行されてもよいし、出納機４０のジャーナル発行部４１３（図４参照）から発行されてもよい。また、履歴制御部６０による検索結果は、管理コンピュータ５０の通信部５０３（図５参照）を経由してタブレット端末２やスマートフォン３などの機器や管理センター（図示を省略）に送信されてもよい。
【０１９７】
また、以上の説明では、履歴制御部６０が複数の処理装置１０の各々から履歴情報群を取得して管理コンピュータ５０の記憶部５０４に記憶する場合を例に挙げたが、履歴制御部６０は、履歴指定操作が操作部５０１に与えられた後に、複数の処理装置１０のうち対象となる処理装置１０から履歴情報群を取得して関連履歴検索処理を行うように構成されていてもよい。
【０１９８】
また、以上の説明では、履歴制御部６０が管理コンピュータ５０（管理装置）に含まれている場合を例に挙げたが、履歴制御部６０は、タブレット端末２やスマートフォン３などの機器（管理装置）に含まれていてもよいし、複数の処理装置１０（具体的には両替機制御部２２０と鍵管理機制御部３２０と出納機制御部４２０）のうち少なくとも１つに含まれていてもよい。
【０１９９】
また、以上の説明では、管理コンピュータ５０に設けられた操作部５０１に履歴検索に関する操作（例えば履歴指定操作など）が与えられる場合を例に挙げたが、履歴検索に関する操作が与えられる操作部は、タブレット端末２やスマートフォン３などの機器に設けられた操作部（または操作部と表示部とが一体となった操作表示部）であってもよいし、複数の処理装置１０に設けられた操作部（具体的には両替機２０の操作表示部２１１や鍵管理機３０の操作表示部３１１や出納機４０の操作表示部４１１など）であってもよい。
【０２００】
また、以上の説明では、管理コンピュータ５０に設けられた表示部５０２に履歴検索に関する表示（例えば関連履歴情報の表示など）を行わせる場合を例に挙げたが、履歴検索に関する表示を行う表示部は、タブレット端末２やスマートフォン３などの機器に設けられた表示部（または操作部と表示部とが一体となった操作表示部）であってもよいし、複数の処理装置１０に設けられた表示部（具体的には両替機２０の操作表示部２１１や鍵管理機３０の操作表示部３１１や出納機４０の操作表示部４１１など）であってもよい。
【０２０１】
なお、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【０２０２】
以上説明したように、ここに開示する技術は、貨幣処理機を含む複数の処理装置を備えた処理システムに有用である。
【符号の説明】
【０２０３】
１          処理システム
２          タブレット端末
３          スマートフォン
１０        処理装置
２０        両替機
３０        鍵管理機
３１        鍵
４０        出納機
５０        管理コンピュータ
５１        監視カメラ
６０        履歴制御部
５０１      操作部
５０２      表示部
５０３      通信部
５０４      記憶部
５０５      制御部
【図１】
2018160099.tif 000003
【図２】
2018160099.tif 000004
【図３】
2018160099.tif 000005
【図４】
2018160099.tif 000006
【図５】
2018160099.tif 000007
【図６】
2018160099.tif 000008
【図７】
2018160099.tif 000009
【図８】
2018160099.tif 000010
【図９】
2018160099.tif 000011
【図１０】
2018160099.tif 000012
【図１１】
2018160099.tif 000013
【図１２】
2018160099.tif 000014
【図１３】
2018160099.tif 000015
【図１４】
2018160099.tif 000016
【図１５】
2018160099.tif 000017
【図１６】
2018160099.tif 000018
【図１７】
2018160099.tif 000019
【図１８】
2018160099.tif 000020
【図１９】
2018160099.tif 000021
【図２０】
2018160099.tif 000022
【図２１】
2018160099.tif 000023
【図２２】
2018160099.tif 000024
【図２３】
2018160099.tif 000025
【図２４】
2018160099.tif 000026
【図２５】
2018160099.tif 000027